(57)【要約】 【課題】  光学フィルムアセンブリの光学条件の最適化。【解決手段】  −10〜＋10°のツイスト角度を有する液晶層を有する液晶パネルに適用する。上部偏光板は、液晶パネルの上部基板と隣接する液晶の長軸方向から時計方向に37〜57°である吸収軸を有し、上部基板上に位置する。上部λ／２位相差フィルムは、250〜270nmのΔｎｄ１及び吸収軸から時計方向に156〜176°であるスロー軸を有し、上部基板と上部偏光板との間に位置する。上部λ／４位相差フィルムは130〜150nmのΔｎｄ２及び吸収軸から時計方向に101〜121°であるスロー軸を有し、上部基板と上部λ/２位相差フィルムとの間に位置する。液晶表示装置の透過率、コントラスト比及び視野角が向上する。【選択図】  図３
2005055902.tif 000002
【特許請求の範囲】
【請求項１】
−１０乃至＋１０°のツイスト角度を有する液晶層を具備する液晶パネルに採用される光学フィルムアセンブリであって、
前記液晶パネルの上部基板と隣接する液晶の長軸方向から時計方向に３７°乃至５７°である吸収軸を有し、前記上部基板上に配置された上部偏光板と、
２５０ｎｍ乃至２７０ｎｍのΔｎｄ１及び前記吸収軸から時計方向に１５６°乃至１７６°であるスロー軸を有し、前記上部基板と上部偏光板との間に配置された上部λ／２位相差フィルム（ここで、前記Δｎは屈折率異方性、前記ｄ１は前記上部λ/２位相差フィルムの厚さ）と、
１３０ｎｍ乃至１５０ｎｍのΔｎｄ２及び前記吸収軸から時計方向に１０１°ないし１２１°であるスロー軸を有し、前記上部基板と前記上部λ／２位相差フィルムとの間に配置された上部λ/４位相差フィルム（ここで、前記Δｎは屈折率異方性、前記ｄ２は前記上部λ/４位相差フィルムの厚さ）と、
を含む光学フィルムアセンブリ。
【請求項２】
−１０乃至＋１０°のツイスト角度を有する液晶層を具備する液晶パネルに採用される光学フィルムアセンブリにおいて、
前記液晶パネルの上部基板と隣接する液晶の長軸方向から時計方向に３８°乃至５８°である吸収軸を有し、前記下部基板の下に配置された下部偏光板と、
２６０ｎｍ乃至２８０ｎｍのΔｎｄ及び前記吸収軸から時計方向に６５°乃至８５°であるスロー軸を有し、前記下部基板と下部偏光板との間に配置された下部λ／２位相差フィルム（ここで、前記Δｎは屈折率異方性、前記ｄ１は前記下部λ/２位相差フィルムの厚さ）と、
１２０ｎｍ乃至１４０ｎｍのΔｎｄ及び前記吸収軸から時計方向に-１°ないし＋１９°であるスロー軸を有し、前記下部基板と下部λ／２位相差フィルムとの間に配置された下部λ/４位相差フィルム（ここで、前記Δｎは屈折率異方性、前記ｄ２は前記下部λ/４位相差フィルムの厚さ）と、
を含む光学フィルムアセンブリ。
【請求項３】
−１０乃至＋１０°のツイスト角度を有する液晶層を具備する液晶パネルに採用される光学フィルムアセンブリにおいて、
前記液晶パネルの下部基板と隣接する液晶の長軸方向から時計方向に１２２°乃至１４２°である吸収軸を有し、前記下部基板の下に配置された下部偏光板と、
２６０ｎｍ乃至２８０ｎｍのΔｎｄ１及び前記吸収軸から時計方向に９５°乃至１１５°であるスロー軸を有し、前記下部基板と下部偏光板との間に配置された下部λ／２位相差フィルム（ここで、前記Δｎは屈折率異方性、前記ｄ１は前記下部λ/２位相差フィルムの厚さ）と、
１２０ｎｍ乃至１４０ｎｍのΔｎｄ２及び前記吸収軸から時計方向に１６１°ないし１８１°であるスロー軸を有し、前記下部基板と前記下部λ／２位相差フィルムとの間に配置された下部λ/４位相差フィルム（ここで、前記Δｎは屈折率異方性、前記ｄ２は前記下部λ/４位相差フィルムの厚さ）と、
を含む光学フィルムアセンブリ。
【請求項４】
横方向を基準にして時計方向に１７０°乃至２５０°の視野角及び−１０°乃至＋１０°のツイスト角度を有する液晶層を具備する液晶パネルに採用される光学フィルムアセンブリにおいて、
前記液晶パネルの前記横方向から時計方向に６７°乃至８７°である吸収軸を有し、前記液晶パネルの上部基板上に位置された上部偏光板と、
２５０ｎｍ乃至２７０ｎｍのΔｎｄ及び前記液晶パネルの前記横方向から８１°乃至１０１°であるスロー軸を有し、前記上部基板と上部偏光板との間に配置された上部λ／２位相差フィルム（ここで、前記Δｎは屈折率異方性、前記ｄ１は前記上部λ/２位相差フィルムの厚さ）と、
１３０ｎｍ乃至１５０ｎｍのΔｎｄ２及び液晶パネルの前記横方向から１３６°ないし１５６°のスロー軸を有し、前記上部基板と上部λ／２位相差フィルムとの間に配置された上部λ/４位相差フィルム（ここで、前記Δｎは屈折率異方性、前記ｄ２は前記上部λ/４位相差フィルムの厚さ）と、
を含む光学フィルムアセンブリ。
【請求項５】
横方向を基準にして時計方向に１７０°乃至２５０°の視野角及び−１０°乃至＋１０°のツイスト角度の液晶層を具備する液晶パネルに採用される光学フィルムアセンブリにおいて、
前記液晶パネルの前記横方向から時計方向に８乃至２８°の吸収軸を有し、前記液晶パネルの下部基板の下に配置された下部偏光板と、
２６０ｎｍ乃至２８０ｎｍのΔｎｄ１及び１１３°乃至１３３°のスロー軸を有し、前記下部基板と下部偏光板との間に配置された下部λ／２位相差フィルムと、
１２０ｎｍ乃至１４０ｎｍのΔｎｄ２及び−１°ないし＋１９°のスロー軸を有し、前記下部基板と下部λ／２位相差フィルムとの間に配置された下部λ/４位相差フィルム（ここで、前記Δｎは屈折率異方性、前記ｄ２は前記下部λ/４位相差フィルムの厚さ）と、
を含む光学フィルムアセンブリ。
【請求項６】
横方向を基準にして時計方向に１７０°乃至２５０°の視野角及び−１０°乃至＋１０°のツイスト角度の液晶層を具備する液晶パネルに採用される光学フィルムアセンブリにおいて、
前記液晶パネルの前記横方向から時計方向に１５２°乃至１７２°の吸収軸を有し、前記液晶パネルの下部基板の下に配置された下部偏光板と、
２６０ｎｍ乃至２８０ｎｍのΔｎｄ１及び４７°乃至６７°のスロー軸を有し、前記下部基板と下部偏光板との間に配置された下部λ／２位相差フィルムと、
１２０ｎｍ乃至１４０ｎｍのΔｎｄ２及び１６１°ないし１８１°のスロー軸を有し、前記下部基板と前記下部λ／２位相差フィルムとの間に配置された下部λ/４位相差フィルム（ここで、前記Δｎは屈折率異方性、前記ｄ２は前記下部λ/４位相差フィルムの厚さ）と、
を含む光学フィルムアセンブリ。
【請求項７】
上部基板、前記上部基板に対向する下部基板及び前記上部基板と前記下部基板との間に配置され−１０°乃至＋１０°のツイスト角度を有する液晶層を具備する液晶パネルと、
前記上部基板に隣接する液晶の長軸方向を基準にして時計方向に３７°乃至５７°の吸収軸を有し、前記上部基板上に配置された上部偏光板と、
２５０ｎｍ乃至２７０ｎｍのΔｎｄ１及び前記吸収軸から時計方向に１５６°乃至１７６°であるスロー軸を有し、前記上部基板と上部偏光板との間に配置された上部λ／２位相差フィルムと、
１３０ｎｍ乃至１５０ｎｍのΔｎｄ２及び前記吸収軸から時計方向に１０１°乃至１２１°であるスロー軸を有し、前記上部基板と前記上部λ／２位相差フィルムとの間に配置された上部λ／４位相差フィルムと、
を含む液晶表示装置。
【請求項８】
前記液晶層はホモジニアス配向モードを含むことを特徴とする請求項７記載の液晶表示装置。
【請求項９】
前記下部基板は、
スイッチング素子と、前記スイッチング素子のドレーン電極と連結された画素電極と、前記画素電極上に形成されて自然光を反射する反射板と、を含むことを特徴とする請求項７記載の液晶表示装置。
【請求項１０】
前記下部基板はスイッチング素子と、前記スイッチング素子のドレーン電極と連結された画素電極と、自然光を反射する反射領域と人工光を透過させる透過窓を定義する反射板と、を含むことを特徴とする請求項７記載の液晶表示装置。
【請求項１１】
前記液晶層は、前記反射領域に対応する部分の厚さが前記透過領域に対応する部分の厚さと互いに異なることを特徴とする請求項１０記載の液晶表示装置。
【請求項１２】
上部基板、前記上部基板に対向する下部基板及び前記上部基板と下部基板との間に配置され、−１０°乃至＋１０°のツイスト角度を有する液晶層を具備する液晶パネルと、
前記下部基板に隣接する液晶の長軸方向を基準にして時計方向に３８°乃至５８°の吸収軸を有し、前記下部基板の下に配置された下部部偏光板と、
２６０ｎｍ乃至２８０ｎｍのΔｎｄ１及び前記吸収軸から時計方向に６５°乃至８５°であるスロー軸を有し、前記下部基板と下部偏光板との間に配置された下部λ／２位相差フィルムと、
１２０ｎｍ乃至１４０ｎｍのΔｎｄ２及び前記吸収軸から時計方向に−１°乃至１９°であるスロー軸を有し、前記下部基板と前記下部λ／２位相差フィルムとの間に配置された下部λ／４位相差フィルムと、
を含む液晶表示装置。
【請求項１３】
前記液晶層はホモジニアス配向モードを含むことを特徴とする請求項１２記載の液晶表示装置。
【請求項１４】
前記下部基板はスイッチング素子と、前記スイッチング素子のドレーン電極と連結された画素電極と、前記画素電極上に形成されて自然光を反射する反射板と、を含むことを特徴とする請求項１２記載の液晶表示装置。
【請求項１５】
前記下部基板はスイッチング素子と、前記スイッチング素子のドレーン電極と連結された画素電極と、前記自然光を反射する反射板及び前記人工光を透過させる透過窓を定義する反射板と、を含むことを特徴とする請求項１２記載の液晶表示装置。
【請求項１６】
前記液晶層は前記反射領域に対応する部分の厚さが前記透過領域に対応する部分の厚さと互いに異なることを特徴とする請求項１５記載の液晶表示装置。
【請求項１７】
上部基板、前記上部基板に対向する下部基板及び前記上部基板と下部基板との間に配置され、−１０°乃至＋１０°のツイスト角度を有する液晶層を具備する液晶パネルと、
前記下部基板に隣接する液晶の長軸方向を基準にして時計方向に１３２°乃至１５２°の吸収軸を有し、前記下部基板の下に配置された下部偏光板と、
２６０ｎｍ乃至２８０ｎｍのΔｎｄ１及び前記吸収軸から時計方向に９５°乃至１１５°であるスロー軸を有し、前記下部基板と下部偏光板との間に配置された下部λ／２位相差フィルムと、
１２０ｎｍ乃至１４０ｎｍのΔｎｄ２及び前記吸収軸から時計方向に１６１°乃至１８１°であるスロー軸を有し、前記下部基板と前記下部λ／２位相差フィルムとの間に配置された下部λ／４位相差フィルムと、
を含む液晶表示装置。
【請求項１８】
上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する液晶パネルと、
前記液晶パネルの前記横方向を基準にして時計方向に６７°乃至８７°の吸収軸を有し、前記上部基板上に配置された上部偏光板と、
２５０ｎｍ乃至２７０ｎｍのΔｎｄ１及び前記横方向を基準にして時計方向に８１°乃至１０１°のスロー軸を有し、前記上部基板と上部偏光板との間に配置された上部λ／２位相差フィルムと、
１３０ｎｍ乃至１５０ｎｍのΔｎｄ２及び前記横方向を基準にして時計方向に１３６°乃至１５６°のスロー軸を有し、前記上部基板と前記上部λ／２位相差フィルムとの間に配置された上部λ／４位相差フィルムと、
を含む液晶表示装置。
【請求項１９】
前記液晶層はホモジニアス配向モードを含むことを特徴とする請求項１８記載の液晶表示装置。
【請求項２０】
前記下部基板はスイッチング素子と、前記スイッチング素子のドレーン電極と連結された画素電極と、前記画素電極上に形成されて前記自然光を反射する反射板と、を具備することを特徴とする請求項１８記載の液晶表示装置。
【請求項２１】
前記下部基板はスイッチング素子と、前記スイッチング素子のドレーン電極と連結された画素電極と、前記画素電極上に形成されて前記自然光を反射する反射領域と前記人工光を透過させる透過窓を定義する反射板と、を含むことを特徴とする請求項１８記載の液晶表示装置。
【請求項２２】
前記液晶層は前記反射領域に対応する部分の厚さが前記透過領域に対応する部分の厚さと互いに異なることを特徴とする請求項２１記載の液晶表示装置。
【請求項２３】
上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する液晶パネルと、
前記液晶パネルの前記横方向を基準にして８°乃至２８°の吸収軸を有し、前記下部基板の下に配置された下部偏光板と、
２６０ｎｍ乃至２８０ｎｍのΔｎｄ１及び前記横方向を基準にして１１３°乃至１３３°のスロー軸を有し、前記下部基板と下部偏光板との間に配置された下部λ／２位相差フィルムと、
１２０ｎｍ乃至１４０ｎｍのΔｎｄ２と、前記横方向を基準にして−１°乃至１９°のスロー軸を有し、前記下部基板と前記下部λ／２位相差フィルムとの間に配置された下部λ／４位相差フィルムと、
を含む液晶表示装置。
【請求項２４】
前記液晶層はホモジニアス配向モードを含むことを特徴とする請求項２３記載の液晶表示装置。
【請求項２５】
前記下部基板はスイッチング素子と、前記スイッチング素子のドレーン電極と連結された画素電極と、前記画素電極上に形成されて前記自然光を反射する反射板と、を具備することを特徴とする請求項２３記載の液晶表示装置。
【請求項２６】
前記下部基板はスイッチング素子と、前記スイッチング素子のドレーン電極と連結された画素電極と、前記画素電極上に形成されて前記自然光を反射する反射領域と前記人工光を透過させる透過窓を定義する反射板と、を具備することを特徴とする請求項２３記載の液晶表示装置。
【請求項２７】
前記液晶層は前記反射領域に対応する部分の厚さが前記透過領域に対応する部分の厚さと互いに異なることを特徴とする請求項２６記載の液晶表示装置。
【請求項２８】
上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する液晶パネルと、
前記液晶パネルの前記横方向を基準にして１５２°乃至１７２°の吸収軸を有し、前記下部基板に下に配置された下部偏光板と、
２６０ｎｍ乃至２８０ｎｍのΔｎｄ１及び前記横方向を基準にして４７°乃至６７°のスロー軸を有し、前記下部基板と下部偏光板との間に配置された下部λ／２位相差フィルムと、
１２０ｎｍ乃至１４０ｎｍのΔｎｄ２と、前記横方向を基準にして１６１°乃至１８１°のスロー軸を有し、前記下部基板と前記下部λ／２位相差フィルムとの間に配置された下部λ／４位相差フィルムと、
を含む液晶表示装置。
【請求項２９】
上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する液晶パネルと、
前記液晶パネルの前記横方向を基準にして時計方向に８°乃至２８°の吸収軸を有し、前記下部基板の下に配置された下部偏光板と、
２６０ｎｍ乃至２８０ｎｍのΔｎｄ１及び前記横方向を基準にして時計方向に１１３°乃至１３３°のスロー軸を有し、前記下部基板と下部偏光板との間に配置された下部λ／２位相差フィルムと、
１２０ｎｍ乃至１４０ｎｍのΔｎｄ２及び前記横方向を基準にして−１°乃至＋１９°のスロー軸を有し、前記下部基板と前記下部λ／２位相差フィルムとの間に配置された下部λ／４位相差フィルムと、
前記横方向を基準にして６７°乃至８７°の吸収軸を有し、前記上部基板上に形成された上部偏光板と、
２５０ｎｍ乃至２７０ｎｍのΔｎｄ３及び前記横方向を基準にして８１°乃至１０１°のスロー軸を有し、前記上部基板と上部偏光板との間に配置された上部λ／２位相差フィルムと、
１３０ｎｍ乃至１５０ｎｍのΔｎｄ４及び前記横方向を基準にして１３６°乃至１５６°のスロー軸を有し、前記上部基板と上部λ／２位相差フィルムとの間に配置された上部λ／４位相差フィルム
と、
を含む液晶表示装置。
【請求項３０】
上部基板、前記上部基板に対向する下部基板及び前記上部基板と下部基板との間に配置され、６２°乃至８２°のツイスト角度を有する液晶層を具備する液晶パネルと、
前記上部基板上に配置された上部偏光板と、
２５０ｎｍ乃至２７０ｎｍのΔｎｄ１及び前記上部偏光板の吸収軸を基準にして時計方向に６°乃至２６°のスロー軸を有し、前記上部基板と上部偏光板との間に配置された上部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び前記吸収軸を基準にして６４°乃至８４°であるスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３１】
上部基板、前記上部基板に対向する下部基板及び前記上部基板と下部基板との間に配置され、５０°乃至７０°のツイスト角度を有する液晶層を具備する液晶パネルと、
前記上部基板の上に配置された上部偏光板と、
２５０ｎｍ乃至２７０ｎｍのΔｎｄ１及び前記上部偏光板の吸収軸を基準にして時計方向に９４°乃至１１４°であるスロー軸を有し、前記上部基板と上部偏光板との間に配置された上部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び前記上部偏光板の吸収軸を基準にして時計方向に１５９°乃至１７９°であるスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３２】
上部基板、前記上部基板に対向する下部基板、及び前記上部基板と下部基板との間に配置され、５０°乃至７０°のツイスト角度を有する液晶層を具備する液晶パネルと、
前記上部基板上に配置された上部偏光板と、
２５０ｎｍ乃至２７０ｎｍのΔｎｄ１及び前記上部偏光板の吸収軸を基準にして時計方向に９７°乃至１１７°のスロー軸を有し、前記上部基板と上部偏光板との間に配置された上部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び前記吸収軸を基準にして時計方向に１６４°乃至１８４°であるスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３３】
上部基板、前記上部基板に対向する下部基板及び前記上部基板と下部基板との間に配置され、横方向を基準にして時計方向に１７０°乃至２５０°の視野角及び５０°乃至７０°のツイスト角度を有する液晶パネルと、
前記液晶パネルの前記横方向を基準にして時計方向に１００°乃至１２０°の吸収軸を有し、前記上部基板の上に配置された上部偏光板と、
２５０ｎｍ乃至２７０ｎｍのΔｎｄ１及び前記横方向を基準にして時計方向に２７°乃至４７°のスロー軸を有し、前記上部基板と上部偏光板との間に配置された上部λ／２位相差フィルム（ここで、前記Δｎは屈折率異方性、前記ｄ１は前記上部λ／２位相差フィルムの厚さ）と、
１３０乃至１５０ｎｍのΔｎｄ２及び９４°乃至１１４°のスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３４】
上部基板、前記上部基板に対向する下部基板及び前記上部基板と下部基板との間に配置され、横方向を基準にして時計方向に２３０°乃至３１０°の視野角及び６２°乃至８２°のツイスト角度を有する液晶層を具備する液晶パネルと、
前記液晶パネルの前記横方向を基準にして時計方向に１４０°乃至１６０°の吸収軸を有し、前記上部基板の上に配置された上部偏光板と、
２５０ｎｍ乃至２７０ｎｍのΔｎｄ１及び前記横方向を基準にして時計方向に１５６°乃至１７６°のスロー軸を有し、前記上部基板と前記上部偏光板との間に配置された上部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び３４°乃至５４°のスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３５】
上部基板、前記上部基板に対向する下部基板及び前記上部基板と下部基板との間に配置され、横方向を基準にして時計方向に１７０°乃至２５０°の視野角及び５０°乃至７０°のツイスト角度を有する液晶層を具備する液晶パネルと、
前記液晶パネルの前記横方向を基準にして１１４°乃至１３４°の吸収軸を有し、前記上部基板の上に配置された上部偏光板と、
２５０ｎｍ乃至２７０ｎｍのΔｎｄ１及び前記横方向を基準にして３８°乃至５８°のスロー軸を有し、前記上部基板と上部偏光板との間に配置された上部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び前記横方向を基準にして時計方向に１０３°乃至１２３°のスロー軸を有し、前記上部基板と前記上部λ／２位相差フィルムとの間に配置された上部λ／４位相差フィルム（ここで、前記Δｎは屈折率異方性、前記ｄ２は前記上部λ／４位相差フィルムの厚さ）と、
を含む液晶表示装置。
【請求項３６】
上部基板、前記上部基板に対向する下部基板及び前記上部基板と下部基板との間に配置され、６２°乃至８２°の液晶ツイスト角度を有する液晶層を具備する液晶パネルと、
前記下部基板の下に配置された下部偏光板と、
２６０ｎｍ乃至２８０ｎｍのΔｎｄ１を有し、前記下部基板と下部偏光板との間に配置された下部λ／２位相差フィルム（ここで、前記Δｎは屈折率異方性、前記ｄ１は前記下部λ／２位相差フィルムの厚さ）と、
１３５ｎｍ乃至１５５ｎｍのΔｎｄ２を有し、前記下部基板と前記下部λ／２位相差フィルムとの間に配置された下部λ／４位相差フィルム（ここで、前記Δｎは屈折率異方性、前記ｄ２は前記下部λ／４位相差フィルムの厚さ）と、
前記下部偏光板の吸収軸を基準にして時計方向に１５５°乃至１７５°のスロー軸を有し、前記上部基板の上に配置された上部λ／２位相差フィルムと、
前記下部偏光板の吸収軸を基準にして時計方向に９６°乃至１１６°のスロー軸を有し、前記上部基板と前記上部λ／２位相差フィルムとの間に配置された上部λ／４位相差フィルムと、
を含む液晶表示装置。
【請求項３７】
上部基板、前記上部基板に対向する下部基板及び前記上部基板と下部基板との間に配置され、５０°乃至７０°のツイスト角度を有する液晶層を具備する液晶パネルと、
前記下部基板の下に配置された下部偏光板と、
２６０ｎｍ乃至２８０ｎｍのΔｎｄ１を有し、前記下部基板と下部偏光板との間に配置された下部λ／２位相差フィルム（ここで、前記Δｎは屈折率異方性、前記ｄ１は前記下部λ／２位相差フィルムの厚さ）と、
１３０ｎｍ乃至１５０ｎｍのΔｎｄ２を有し、前記下部基板と前記下部λ／２位相差フィルムとの間に配置された下部λ／４位相差フィルム（ここで、前記Δｎは屈折率異方性、前記ｄ２は前記下部λ／４位相差フィルムの厚さ）と、
前記下部偏光板の吸収軸を基準にして時計方向に２８°乃至４８°のスロー軸を有し、前記上部基板の上に配置された上部λ／２位相差フィルムと、
前記下部偏光板の吸収軸を基準にして時計方向に９４°乃至１１４°のスロー軸を有し、前記上部基板と前記上部λ／２位相差フィルムとの間に配置された上部λ／４位相差フィルムと、
を含む液晶表示装置。
【請求項３８】
上部基板、前記上部基板に対向する下部基板及び前記上部基板と下部基板との間に配置され、５０°乃至７０°の液晶ツイスト角度を有する液晶層を具備する液晶パネルと、
前記下部基板の下に配置された下部偏光板と、
２６０ｎｍ乃至２８０ｎｍのΔｎｄ１及び前記下部偏光板の吸収軸を基準にして時計方向に１°乃至２１°であるスロー軸を有し、前記下部基板と前記下部偏光板との間にに配置された下部λ／２位相差フィルム（ここで、前記Δｎは屈折率異方性、前記ｄ１は前記上部λ／２位相差フィルムの厚さ）と、
１３０ｎｍ乃至１５０ｎｍのΔｎｄ２及び前記吸収軸を基準にして時計方向に５９°乃至７９°であるスロー軸を有し、前記下部基板と前記下部λ／２位相差フィルムとの間に配置された下部λ／４位相差フィルム（ここで、前記Δｎは屈折率異方性、前記ｄ２は前記上部λ／４位相差フィルムの厚さ）と、
を含む液晶表示装置。
【請求項３９】
上部基板、前記上部基板に対向する下部基板及び前記上部基板と下部基板との間に配置され、横方向を基準にして時計方向に２３０°乃至３１０°の視野角及び６２°乃至８２°のツイスト角度を有する液晶層を具備する液晶パネルと、
前記液晶パネルの前記横方向を基準にして時計方向に１１０乃至１３０°の吸収軸を有し、前記下部基板の下に配置された下部偏光板と、
２６０ｎｍ乃至２８０ｎｍのΔｎｄ１及び前記横方向を基準にして時計方向に９５°乃至１１５のスロー軸を有し、前記下部基板と前記下部偏光板との間にに配置された下部λ／２位相差フィルム（ここで、前記Δｎは屈折率異方性、前記ｄ１は前記下部λ／２位相差フィルムの厚さ）と、
１３５ｎｍ乃至１５５ｎｍのΔｎｄ２及び前記横方向を基準にして時計方向に３６°乃至５６のスロー軸を有し、前記下部基板と前記下部λ／２位相差フィルムとの間に配置された下部λ／４位相差フィルム（ここで、前記Δｎは屈折率異方性、前記ｄ２は前記下部λ／４位相差フィルムの厚さ）と、
を含む液晶表示装置。
【請求項４０】
上部基板、前記上部基板に対向する下部基板及び前記上部基板と下部基板との間に配置され、横方向を基準にして時計方向に１７０°乃至２５０°の視野角及び５０°乃至７０°のツイスト角度を有する液晶層を具備する液晶パネルと、
前記液晶パネルの前記横方向を基準にして１３６°乃至１５６°の吸収軸を有し、前記下部基板の下に配置された下部偏光板と、
２６０ｎｍ乃至２８０ｎｍのΔｎｄ１及び前記横方向を基準にして時計方向に１５２°乃至１７２°のスロー軸を有し、前記下部基板と前記下部偏光板との間に配置された下部λ／２位相差フィルム（ここで、前記Δｎは屈折率異方性、前記ｄ１は前記下部λ／２位相差フィルムの厚さ）と、
１３０ｎｍ乃至１５０ｎｍのΔｎｄ２及び３８°乃至５８のスロー軸を有し、前記下部基板と前記下部λ／２位相差フィルムとの間に配置された下部λ／４位相差フィルム（ここで、前記Δｎは屈折率異方性、前記ｄ２は前記下部λ／４位相差フィルムの厚さ）と、
を含む液晶表示装置。
【請求項４１】
上部基板、前記上部基板に対向する下部基板及び前記上部基板と前記下部基板との間に配置され、横方向を基準にして時計方向に１７０°乃至２５０°の視野角及び５０°乃至７０°のツイスト角度を具備する液晶パネルと、
前記液晶パネルの前記横方向を基準にして１５０°乃至１７０°の吸収軸を有し、前記下部基板の下に配置された下部偏光板と、
２６０ｎｍ乃至２８０ｎｍのΔｎｄ１及び前記横方向を基準にして１６１°乃至１８１°のスロー軸を有し、前記下部基板と前記下部偏光板との間に配置された下部λ／２位相差フィルム（ここで、前記Δｎは屈折率異方性、前記ｄ１は前記下部λ／２位相差フィルムの厚さ）と、
１３０ｎｍ乃至１５０ｎｍのΔｎｄ２及び前記横方向を基準にして３９°乃至５９°のスロー軸を有し、前記下部基板と前記下部λ／２位相差フィルムとの間に配置された下部λ／４位相差フィルム（ここで、前記Δｎは屈折率異方性、前記ｄ２は前記下部λ／４位相差フィルムの厚さ）と、
を含む液晶表示装置。
【発明の詳細な説明】
【技術分野】
【０００１】
本発明は光学フィルムアセンブリと、これを有する液晶表示装置に関する。
【背景技術】
【０００２】
一般に反射型液晶表示装置は外部から入射される自然光を使用して映像を表示するので、暗い場所では光量の減少により画質が低下する。
【０００３】
一方、透過型液晶表示装置はバックライトアセンブリなどの装置から入射される人工光を使用して映像を表示するので、暗い場所でも良質の画像を表示することができる。しかし、透過型液晶表示装置は電力消費量が多く、電池を有する携帯用表示装置の大きさが増加する。
【０００４】
反射−透過型液晶表示装置は反射モードと透過モードを含み、暗い場所では透過モードを利用して良質の映像を表示し、明るい場所では反射モードを利用して電力消費を減少させる。
【発明の開示】
【発明が解決しようとする課題】
【０００５】
しかし、前記反射−透過型液晶表示装置の光学条件が反射領域に基づいて設計され、透過窓に対してはブラックを基本にして設計される。従って、前記した反射−透過型液晶表示装置の透過率は透過モードでの前記透過型液晶表示装置の透過率に比べて５０％減少する。
従って、本発明の目的は最適化された光学条件を通じて透過率やコントラスト比、視野角特性を向上させるための光学フィルムアセンブリを提供することにある。
【０００６】
また、本発明の他の目的は最適化された光学条件を通じて透過率やコントラスト比、視野角特性を向上させるための光学フィルムアセンブリを有する液晶表示装置を提供することにある。
【課題を解決するための手段】
【０００７】
前記本発明の目的を実現するための第１特徴による光学フィルムアセンブリは、−１０°乃至＋１０°のツイスト角度を有する液晶層を具備する液晶パネルに採用され、上部偏光板、上部λ／２位相差フィルム及び上部λ／４位相差フィルムを含む。前記上部偏光板は前記液晶パネルの上部基板と隣接する液晶の長軸方向から時計方向に３７°乃至５７°である吸収軸を有し、前記上部基板上に配置される。前記上部λ／２位相差フィルムは２５０ｎｍ乃至２７０ｎｍのΔｎｄ１及び前記吸収軸から時計方向に１５６°乃至１７６°スロー軸を有し、前記上部基板と上部偏光板との間に配置される。ここで、前記Δｎは屈折率異方性で、前記ｄ１は前記上部λ/２位相差フィルムの厚さである。前記上部λ／４位相差フィルムは１３０ｎｍ乃至１５０ｎｍのΔｎｄ２及び前記吸収軸から時計方向に１０１°ないし１２１°であるスロー軸を有し、前記上部基板と前記上部λ／２位相差フィルムとの間に配置される。ここで、前記Δｎは屈折率異方性で、前記ｄ２は前記上部λ/４位相差フィルムの厚さである。
【０００８】
前記本発明の目的実現するための第２特徴による光学フィルムアセンブリは、−１０°乃至＋１０°のツイスト角度を有する液晶層を具備する液晶パネルに採用され、下部偏光板、下部λ／２位相差フィルム及び下部λ／４位相差フィルムを含む。前記下部偏光板は前記液晶パネルの下部基板と隣接する液晶の長軸方向から時計方向に３８°乃至５８°である吸収軸を有し、前記下部基板の下に配置される。前記下部λ／２位相差フィルムは２６０ｎｍ乃至２８０ｎｍのΔｎｄ１及び前記吸収軸から時計方向に６５°乃至８５°であるスロー軸を有し、前記下部基板と下部偏光板との間に配置される。ここで前記Δｎは屈折率異方性で、前記ｄ１は前記下部λ/２位相差フィルムの厚さである。前記下部λ／４位相差フィルムは１２０ｎｍ乃至１４０ｎｍのΔｎｄ２及び前記吸収軸から時計方向に−１°ないし＋１９°であるスロー軸を有し、前記下部基板と前記下部λ／２位相差フィルムとの間に配置される。ここで、前記Δｎは屈折率異方性で、前記ｄ２は前記下部λ/４位相差フィルムの厚さである。
【０００９】
前記本発明の目的を実現するための他の特徴による光学フィルムアセンブリは、−１０°乃至＋１０°のツイスト角度を有する液晶層を具備する液晶パネルに採用され、下部偏光板、下部λ／２位相差フィルム及び下部λ／４位相差フィルムを含む。前記下部部偏光板は前記液晶パネルの下部基板と隣接する液晶の長軸方向から時計方向に１２２°乃至１４２°である吸収軸を有し、前記下部基板の下に配置される。前記下部λ／２位相差フィルムは２６０ｎｍ乃至２８０ｎｍのΔｎｄ１及び前記吸収軸から時計方向に９５°乃至１１５°スロー軸を有し、前記下部基板と前記下部偏光板との間に配置される。ここで、前記Δｎは屈折率異方性で、前記ｄ１は前記下部λ/２位相差フィルムの厚さである。前記下部λ／４位相差フィルムは１２０ｎｍ乃至１４０ｎｍのΔｎｄ２及び前記吸収軸から時計方向に１６１°ないし１８１°であるスロー軸を有し、前記下部基板と前記下部λ／２位相差フィルムとの間に配置される。ここで、前記Δｎは屈折率異方性で、前記ｄ２は前記下部λ/４位相差フィルムの厚さである。
【００１０】
前記本発明の目的を実現するための第３特徴による光学フィルムアセンブリは、横方向を基準にして時計方向に１７０°乃至２５０°の視野角及び−１０°乃至＋１０°のツイスト角度の液晶層を具備する液晶パネルに採用され、上部偏光板、上部λ／２位相差フィルム及び上部λ／４位相差フィルム含む。前記上部偏光板は前記液晶パネルの前記横方向から時計方向に６７°乃至８７°である吸収軸を有し、前記液晶パネルの上部基板上に配置される。前記上部λ／２位相差フィルムは２５０ｎｍ乃至２７０ｎｍのΔｎｄ１及び前記液晶パネルの前記横方向から８１°乃至１０１°であるスロー軸を有し、前記上部基板と上部偏光板との間に配置される。ここで、前記Δｎは屈折率異方性で、前記ｄ１は前記下部λ/２位相差フィルムの厚さである。前記上部λ／４位相差フィルムは１３０ｎｍ乃至１５０ｎｍのΔｎｄ２及び液晶パネルの前記横方向から１３６°ないし１５６°のスロー軸を有し、前記上部基板と上部λ／２位相差フィルムとの間に配置される。ここで、前記Δｎは屈折率異方性で、前記ｄ２は前記上部λ/４位相差フィルムの厚さである。
【００１１】
前記本発明の目的を実現するための４特徴による光学フィルムアセンブリは、横方向を基準にして時計方向に１７０°乃至２５０°の視野角及び−１０°乃至＋１０°のツイスト角度の液晶層を具備する液晶パネルに採用され、下部偏光板、下部λ／２位相差フィルム及び下部λ／４位相差フィルム含む。前記下部偏光板は前記液晶パネルの前記横方向から時計方向に８°乃至２８°の吸収軸を有し、前記液晶パネルの下部基板の下に配置される。前記下部λ／２位相差フィルムは２６０ｎｍ乃至２８０ｎｍのΔｎｄ１及び１１３°乃至１３３°のスロー軸を有し、前記下部基板と下部偏光板との間に配置される。前記下部λ／４位相差フィルムは１２０ｎｍ乃至１４０ｎｍのΔｎｄ２及び−１°乃至＋１９°のスロー軸を有し、前記下部基板と前記下部λ／２位相差フィルムとの間に配置される。ここで、前記Δｎは屈折率異方性で、前記ｄ２は前記下部λ/４位相差フィルムの厚さである。
【００１２】
前記した本発明の目的を実現するためのまたの他の特徴による光学フィルムアセンブリは、横方向を基準にして時計方向に１７０°乃至２５０°の視野角及び−１０°乃至＋１０°のツイスト角度の液晶層を具備する液晶パネルに採用され、下部偏光板、下部λ／２位相差フィルム及び下部λ／４位相差フィルム含む。前記下部偏光板は前記液晶パネルの前記横方向から時計方向に１５２°乃至１７２°の吸収軸を有し、前記液晶パネルの下部基板の下に配置される。前記下部λ／２位相差フィルムは２６０ｎｍ乃至２８０ｎｍのΔｎｄ１及び４７°乃至６７°のスロー軸を有し、前記下部基板と下部偏光板との間に配置される。前記下部λ／４位相差フィルムは１２０ｎｍ乃至１４０ｎｍのΔｎｄ２及び１６１°乃至１８１°のスロー軸を有し、前記下部基板と前記下部λ／２位相差フィルムとの間に配置される。ここで、前記Δｎは屈折率異方性で、前記ｄ２は前記下部λ/４位相差フィルムの厚さである  
前記本発明のまたの他の目的を実現するための第１特徴による液晶表示装置は、液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され−１０°乃至＋１０°のツイスト角度を有する液晶層を具備する。前記上部偏光板は前記上部基板に隣接する液晶の長軸方向を基準にして時計方向に３７°乃至５７°の吸収軸を有し、前記上部基板上に配置される。前記上部λ／２位相差フィルムは２５０ｎｍ乃至２７０ｎｍのΔｎｄ１及び前記吸収軸から時計方向に１５６°乃至１７６°であるスロー軸を有し、前記上部基板と上部偏光板との間に配置される。上部λ／４位相差フィルムは、１３０ｎｍ乃至１５０ｎｍのΔｎｄ２及び前記吸収軸から時計方向に１０１°乃至１２１°であるスロー軸を有し、前記上部基板と前記上部λ／２位相差フィルムとの間に配置される。
【００１３】
前記本発明のまたの他の目的を実現するための第２特徴による液晶表示装置は液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され−１０°乃至＋１０°のツイスト角度を有する液晶層を具備する。前記下部偏光板は前記下部基板に隣接する液晶の長軸方向を基準にして時計方向に３８°乃至５８°の吸収軸を有し、前記下部基板の下に配置される。前記下部λ／２位相差フィルムは２６０ｎｍ乃至２８０ｎｍのΔｎｄ１及び前記吸収軸から時計方向に６５°乃至８５°であるスロー軸を有し、前記下部基板と下部偏光板との間に配置される。前記下部λ／４位相差フィルムは１２０ｎｍ乃至１４０ｎｍのΔｎｄ２及び前記吸収軸から時計方向に−１°乃至１９°であるスロー軸を有し、前記下部基板と前記下部λ／２位相差フィルムとの間に配置される。
【００１４】
前記本発明の他の目的を実現するための他の特徴による液晶表示装置は液晶パネル、下部偏光板、下部λ／２位相差フィルム及び下部λ／４位相差フィルムを含む。前記液晶パネルは、上部基板、前記上部基板に対向する下部基板及び前記上部基板と下部基板との間に配置され、−１０°乃至＋１０°のツイスト角度を有する液晶層を具備する。前記下部偏光板は前記下部基板に隣接する液晶の長軸方向を基準にして時計方向に１３２°乃至１５２°の吸収軸を有し、前記下部基板の下に配置される。前記下部λ／２位相差フィルムは２６０ｎｍ乃至２８０ｎｍのΔｎｄ１及び前記吸収軸から時計方向に９５°乃至１１５であるスロー軸を有し、前記下部基板と下部偏光板との間に配置される。前記下部λ／４位相差フィルムは、１２０ｎｍ乃至１４０ｎｍのΔｎｄ２及び前記吸収軸から時計方向に１６１°乃至１８１°であるスロー軸を有し、前記下部基板と前記下部λ／２位相差フィルムとの間に配置される。
【００１５】
前記本発明のまたの他の目的を実現するための第３特徴による液晶表示装置は液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する。前記上部偏光板は前記液晶パネルの前記横方向を基準にして時計方向に６７°乃至８７°の吸収軸を有し、前記上部基板上に配置される。前記上部λ／２位相差フィルムは２５０ｎｍ乃至２７０ｎｍのΔｎｄ１及び前記横方向を基準にして時計方向に８１°乃至１０１°のスロー軸を有し、前記上部基板と上部偏光板との間に配置される。前記上部λ／４位相差フィルムは１３０ｎｍ乃至１５０ｎｍのΔｎｄ２及び前記横方向を基準にして時計方向に１３６°乃至１５６°のスロー軸を有し、前記上部基板と前記上部λ／２位相差フィルムとの間に配置される。
【００１６】
前記本発明のまたの他の目的を実現するための第４特徴による液晶表示装置は、液晶パネル、下部偏光板、下部λ／２位相差フィルム及び下部λ/４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する。前記下部偏光板は前記液晶パネルの前記横方向を基準にして８°乃至２８°の吸収軸を有し、前記下部基板の下に配置される。前記下部λ/２位相差フィルムは２６０ｎｍ乃至２８０ｎｍのΔｎｄ１及び前記横方向を基準にして１１３°乃至１３３°のスロー軸を有し、前記下部基板と下部偏光板との間に配置される。前記下部λ/４位相差フィルムは１２０ｎｍ乃至１４０ｎｍのΔｎｄ２と、前記横方向を基準にして−１°乃至１９°のスロー軸を有し、前記下部基板と前記下部λ／２位相差フィルムとの間に配置される。
【００１７】
前記本発明の他の目的を実現するための他の特徴による液晶表示装置は液晶パネル、下部偏光板、下部λ／２位相差フィルム及び下部λ/４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び−１０°乃至＋１０°のツイスト角度を有する液晶層を具備する。前記下部偏光板は前記液晶パネルの前記横方向を基準にして１５２°乃至１７２°の吸収軸を有し、前記下部基板の下に配置される。前記下部λ／２位相差フィルムは２６０ｎｍ乃至２８０ｎｍのΔｎｄ１及び前記横方向を基準にして４７°乃至６７°のスロー軸を有し、前記下部基板と下部偏光板との間に配置される。前記下部λ／４位相差フィルムは１２０ｎｍ乃至１４０ｎｍのΔｎｄ２と、前記横方向を基準にして１６１°乃至１８１°のスロー軸を有し、前記下部基板と前記下部λ／２位相差フィルムとの間に配置される。
【００１８】
前記本発明のまたの他の目的を実現するための第５特徴による液晶表示装置は液晶パネル、下部偏光板、下部λ／２位相差フィルム及び下部λ/４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び−１０°乃至＋１０°のツイスト角度をの液晶層を具備する。前記下部偏光板は前記液晶パネルの前記横方向を基準にして時計方向に８°乃至２８°の吸収軸を有し、前記下部基板の下に配置される。前記下部λ／２位相差フィルムは２６０ｎｍ乃至２８０ｎｍのΔｎｄ１及び前記横方向を基準にして時計方向に１１３°乃至１３３°のスロー軸を有し、前記下部基板と下部偏光板との間に配置される。前記下部λ／４位相差フィルムは１２０ｎｍ乃至１４０ｎｍのΔｎｄ２及び前記横方向を基準にして−１°乃至＋１９°のスロー軸を有し、前記下部基板と前記下部λ／２位相差フィルムとの間に配置される。前記上部偏光板は前記横方向を基準にして６７°乃至８７°の吸収軸を有し、前記上部基板上に配置される。前記上部λ／２位相差フィルムは２５０ｎｍ乃至２７０ｎｍのΔｎｄ３及び前記横方向を基準にして８１°乃至１０１°のスロー軸を有し、前記上部基板と上部偏光板との間に配置される。前記下部λ／４位相差フィルムは１３０ｎｍ乃至１５０ｎｍのΔｎｄ４及び前記横方向を基準にして１３６°乃至１５６°のスロー軸を有し、前記上部基板と上部λ／２位相差フィルムとの間に配置される。
【００１９】
前記本発明のさらにまたの目的を実現するための第１特徴による液晶表示装置は液晶パネル、上部偏光板、上部λ／２位相差フィルム及び上部λ／４位相差フィルムを含む。前液晶パネルは上部基板、前記上部基板に対向する下部基板及び前記上部基板と下部基板との間に配置され、６２°乃至８２°のツイスト角度を有する液晶層を具備する。前記上部偏光板は前記上部基板上に配置される。前記上部λ／２位相差フィルムは、２５０ｎｍ乃至２７０ｎｍのΔｎｄ１及び前記上部偏光板の吸収軸を基準にして時計方向に６°乃至２６°のスロー軸を有し、前記上部基板と上部偏光板との間に配置される。ここで、前記Δｎは屈折率異方性で、前記ｄ１は前記上部λ／２位相差フィルムの厚さである。前記上部λ/４位相差フィルム  は１３０ｎｍ乃至１５０ｎｍのΔｎｄ２及び前記吸収軸を基準にして６４°乃至８４°であるスロー軸を有し、前記上部基板と前記上部λ／２位相差フィルムとの間に配置される。ここで、前記Δｎは屈折率異方性で、前記ｄ２は前記上部λ／４位相差フィルムの厚さである。
【００２０】
前記した本発明のさらにまたの目的を実現するための第２特徴による液晶表示装置は、液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、５０°乃至７０°のツイスト角度を有する液晶層を具備する。前記上部偏光板は前記上部基板の上に配置される。前記上部λ/２位相差フィルムは２５０ｎｍ乃至２７０ｎｍのΔｎｄ１及び前記上部偏光板の吸収軸を基準にして時計方向に９４°乃至１１４°であるスロー軸を有し、前記上部基板と上部偏光板との間に配置される。ここで、前記Δｎは屈折率異方性で、前記ｄ１は前記上部λ／２位相差フィルムの厚さである。前記上部λ/４位相差フィルムは１３０ｎｍ乃至１５０ｎｍのΔｎｄ２及び前記吸収軸を基準にして時計方向に１５９°乃至１７９°であるスロー軸を有し、前記上部基板と前記上部λ／２位相差フィルムとの間に配置される。ここで、前記Δｎは屈折率異方性で、前記ｄ２は前記上部λ／４位相差フィルムの厚さである。
【００２１】
前記本発明のさらにまたの目的を実現するための第３特徴による液晶表示装置は液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、５０°乃至７０°のツイスト角度を有する液晶層を具備する。前記上部偏光板は前記上部基板上に配置される。前記上部λ/２位相差フィルムは２５０ｎｍ乃至２７０ｎｍのΔｎｄ１及び前記上部偏光板の吸収軸を基準にして時計方向に９７°乃至１１７°のスロー軸を有し、前記上部基板と上部偏光板との間に配置される。ここで、前記Δｎは屈折率異方性で、前記ｄ１は前記上部λ／２位相差フィルムの厚さである。前記上部λ/４位相差フィルムは１３０ｎｍ乃至１５０ｎｍのΔｎｄ２及び前記吸収軸を基準にして１６４°乃至１８４°であるスロー軸を有し、前記上部基板と前記上部λ／２位相差フィルムとの間に配置される。ここで、前記Δｎは屈折率異方性で、前記ｄ２は前記上部λ／４位相差フィルムの厚さである。
【００２２】
前記本発明のさらにまたの目的を実現するための第４特徴による液晶表示装置は液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び５０°乃至７０°のツイスト角度を有する。前記上部偏光板は前記液晶パネルの前記横方向を基準にして時計方向に１００°乃至１２０°の吸収軸を有し、前記上部基板の上に配置される。前記上部λ/２位相差フィルムは２５０ｎｍ乃至２７０ｎｍのΔｎｄ１及び前記横方向を基準にして時計方向に２７°乃至４７°のスロー軸を有し、前記上部基板と上部偏光板との間に配置される。ここで、前記Δｎは屈折率異方性で、前記ｄ１は前記上部λ／２位相差フィルムの厚さである。前記上部λ/４位相差フィルムは１３０ｎｍ乃至１５０ｎｍのΔｎｄ２及び９４°乃至１１４°のスロー軸を有し、前記上部基板と前記上部λ／２位相差フィルムとの間に配置される。ここで、前記Δｎは屈折率異方性、前記ｄ２は前記上部λ／４位相差フィルムの厚さである。
【００２３】
前記本発明のさらにまたの目的を実現するための第５特徴による液晶表示装置は、液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、横方向を基準にして時計方向に２３０°乃至３１０°の視野角及び６２°乃至８２°のツイスト角度を有する液晶層を具備する。前記上部偏光板は前記液晶パネルの前記横方向を基準にして時計方向に１４０°乃至１６０°の吸収軸を有し、前記上部基板の上に配置される。前記上部λ/２位相差フィルムは２５０ｎｍ乃至２７０ｎｍのΔｎｄ１及び前記横方向を基準にして時計方向に１５６°乃至１７６°のスロー軸を有し、前記上部基板と前記上部偏光板との間に配置される。ここで、前記Δｎは屈折率異方性で、前記ｄ１は前記上部λ／２位相差フィルムの厚さである。前記上部λ/４位相差フィルムは１３０ｎｍ乃至１５０ｎｍのΔｎｄ２及び３４°乃至５４°のスロー軸を有し、前記上部基板と前記上部λ／２位相差フィルムとの間に配置される。ここで、前記Δｎは屈折率異方性で、前記ｄ２は前記上部λ／４位相差フィルムの厚さである。
【００２４】
前記本発明のさらにまたの目的を実現するための第６特徴による液晶表示装置は液晶パネル、上部偏光板、上部λ／２位相差フィルム及び上部λ／４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び５０°乃至７０°のツイスト角度を有する液晶層を具備する。前記上部偏光板は前記液晶パネルの前記横方向を基準にして１１４°乃至１３４°の吸収軸を有し、前記上部基板の上に配置される。前記上部λ/２位相差フィルムは２５０ｎｍ乃至２７０ｎｍのΔｎｄ１及び前記横方向を基準にして時計方向に３８°乃至５８°のスロー軸を有し、前記上部基板と上部偏光板との間に配置される。ここで、前記Δｎは屈折率異方性で、前記ｄ１は前記上部λ／２位相差フィルムの厚さである。前記上部λ/４位相差フィルムは１３０ｎｍ乃至１５０ｎｍのΔｎｄ２及び前記横方向を基準にして時計方向に１０３°乃至１２３°のスロー軸を有し、前記上部基板と前記上部λ／２位相差フィルムとの間に配置される。ここで、前記Δｎは屈折率異方性、前記ｄ２は前記上部λ／４位相差フィルムの厚さである。
【００２５】
前記した本発明さらにまたの目的を実現するための第７特徴による液晶表示装置は、液晶パネル、下部偏光板、下部λ/２位相差フィルム、下部λ/４位相差フィルム、上部λ/２位相差フィルム及び上部λ/４位相差フィルムを含む。前記液晶パネルは上部基板、前記上部基板に対向する下部基板及び前記上部基板と下部基板との間に配置され、６２°乃至８２°の液晶ツイスト角度を有する液晶層を具備する。前記下部偏光板は前記下部基板の下に配置される。前記下部λ/２位相差フィルムは２６０ｎｍ乃至２８０ｎｍのΔｎｄ１を有し、前記下部基板と下部偏光板との間に配置される。ここで、前記Δｎは屈折率異方性で、前記ｄ１は前記下部λ／２位相差フィルムの厚さである。前記下部λ/４位相差フィルムは１３５ｎｍ乃至１５５ｎｍのΔｎｄ２を有し、前記下部基板と前記下部λ／２位相差フィルムとの間に配置される。ここで、前記Δｎは屈折率異方性で、前記ｄ２は前記下部λ／４位相差フィルムの厚さである。前記上部λ/２位相差フィルムは前記下部偏光板の吸収軸を基準にして時計方向に１５５°乃至１７５°のスロー軸を有し、前記上部基板の上に配置される。前記上部λ/４位相差フィルムは前記下部偏光板の吸収軸を基準にして時計方向に９６°乃至１１６°のスロー軸を有し、前記上部基板と前記上部λ／２位相差フィルムとの間に配置される。
【００２６】
前記本発明のさらにまたの目的を実現するための第８特徴による液晶表示装置は液晶パネル、下部偏光板、下部λ/２位相差フィルム、下部λ/４位相差フィルム、上部λ/２位相差フィルム及び上部λ/４位相差フィルムを含む。前記液晶パネルは上部基板、前記上部基板に対向する下部基板及び前記上部基板と下部基板との間に配置され、５０°乃至７０°のツイスト角度を有する液晶層を具備する。前記下部偏光板は前記下部基板の下の配置される。前記下部λ/２位相差フィルムは２６０ｎｍ乃至２８０ｎｍのΔｎｄ１を有し、前記下部基板と下部偏光板との間に配置される。ここで、前記Δｎは屈折率異方性で、前記ｄ１は前記下部λ／２位相差フィルムの厚さである。前記下部λ/４位相差フィルムは１３０ｎｍ乃至１５０ｎｍのΔｎｄ２を有し、前記下部基板と前記下部λ／２位相差フィルムとの間に配置される。ここで、前記Δｎは屈折率異方性で、前記ｄ２は前記下部λ／４位相差フィルムの厚さである。前記上部λ/２位相差フィルムは前記下部偏光板の吸収軸を基準にして時計方向に２８°乃至４８°のスロー軸を有し、前記上部基板の上に配置される。前記上部λ/４位相差フィルムは前記下部偏光板の吸収軸を基準にして時計方向に９４°乃至１１４°のスロー軸を有し、前記上部基板と前記上部λ／２位相差フィルムとの間に配置される。
【００２７】
前記本発明のさらにまたの目的を実現するための第９特徴による液晶表示装置は、液晶パネル、下部偏光板、下部λ/２位相差フィルム、下部λ/４位相差フィルムを含む。前記液晶表示パネルは上部基板、前記上部基板に対向する下部基板及び前記上部基板の間に配置され、５０°乃至図７０°のツイスト角度を有する液晶層を具備する。前記下部偏光板は前記下部基板の下に配置される。前記下部λ/２位相差フィルムは２６０ｎｍ乃至２８０ｎｍのΔｎｄ１及び前記下部偏光板の吸収軸を基準にして時計方向に１°乃至２１°であるスロー軸を有し、前記下部基板と前記下部偏光板との間に配置される。ここで、前記Δｎは屈折率異方性で、前記ｄ１は前記下部λ／２位相差フィルムの厚さである。前記下部λ/４位相差フィルムは１３０ｎｍ乃至１５０ｎｍのΔｎｄ２及び前記吸収軸を基準にして時計方向に５９°乃至７９°であるスロー軸を有し、前記下部基板と前記下部λ/２位相差フィルムとの間に配置される。ここで、前記Δｎは屈折率異方性で、前記ｄ２は前記下部λ／４位相差フィルムの厚さである。
【００２８】
前記本発明のさらにまたの目的を実現するための第１０特徴による液晶表示装置は液晶パネル、下部偏光板、下部λ/２位相差フィルム及び下部λ/４位相差フィルムを含む。前記液晶表示パネルは上部基板、前記上部基板に対向する下部基板及び前記上部基板と下部基板との間に配置され、横方向を基準にして時計方向に２３０°乃至３１０°視野角及び６２°乃至８２°のツイスト角度を有する液晶層を具備する。前記下部偏光板は前記液晶パネルの前記横方向を基準にして時計方向に１１０°乃至１３０°の吸収軸を有し、前記下部基板の下に配置される。前記下部λ/２位相差フィルムは２６０ｎｍ乃至２８０ｎｍのΔｎｄ１及び前記横方向を基準にして時計方向に９５°乃至１１５°のスロー軸を有し、前記下部基板と前記下部偏光板との間に配置される。ここで、前記Δｎは屈折率異方性で、前記ｄ１は前記下部λ／２位相差フィルムの厚さである。前記下部λ/４位相差フィルムは１３５ｎｍ乃至１５５ｎｍのΔｎｄ２及び前記横方向を基準にして時計方向に３６°乃至５６°のスロー軸を有し、前記下部基板と前記下部λ/２位相差フィルムとの間に配置される。ここで、前記Δｎは屈折率異方性で、前記ｄ２は前記下部λ／４位相差フィルムの厚さである。
【００２９】
前記した本発明のさらにまたの目的を実現するための第１１特徴による液晶表示装置は、液晶パネル、下部偏光板、下部λ/２位相差フィルム及び下部λ/４位相差フィルムを含む。前記液晶パネルは上部基板、前記上部基板に対向する下部基板及び前記上部基板と下部基板との間に配置され、横方向を基準にして時計方向に１７０°乃至２５０°の視野角及び５０°乃至７０°のツイスト角度を有する液晶層を具備する。前記下部偏光板は前記液晶パネルの前記横方向を基準にして１３６°乃至１５６°の吸収軸を有し、前記下部基板の下に配置される。前記下部λ/２位相差フィルムは２６０ｎｍ乃至２８０ｎｍのΔｎｄ１及び前記横方向を基準にして１５２°乃至１７２°のスロー軸を有し、前記下部基板と前記下部偏光板との間に配置される。ここで、前記Δｎは屈折率異方性で、前記ｄ１は前記下部λ／２位相差フィルムの厚さである。下部λ/４位相差フィルム１３０ｎｍ乃至１５０ｎｍのΔｎｄ１及び３８°乃至５８°のスロー軸を有し、前記下部基板と前記下部λ／２位相差フィルムとの間に配置される。ここで、前記Δｎは屈折率異方性で、前記ｄ２は前記下部λ／４位相差フィルムの厚さである。
【００３０】
前記した本発明のさらにまたの目的を実現するための第１２特徴による液晶表示装置は、液晶パネル、下部偏光板、下部λ/２位相差フィルム及び下部λ/４位相差フィルムを含む。前記液晶パネルは上部基板、前記上部基板に対向する下部基板及び前記上部基板と前記下部基板との間に配置され、横方向を基準にして時計方向に１７０°乃至２５０°の視野角及び５０°乃至７０°のツイスト角度を具備する。前記下部偏光板は前記液晶パネルの前記横方向を基準にして１５０°乃至１７０°の吸収軸を有し、前記下部基板の下に配置される。前記下部λ/２位相差フィルムは２６０ｎｍ乃至２８０ｎｍのΔｎｄ１及び前記横方向を基準にして１６１°乃至１８１°のスロー軸を有し、前記下部基板と前記下部偏光板との間に配置される。ここで、前記Δｎは屈折率異方性で、前記ｄ１は前記下部λ／２位相差フィルムの厚さである。前記下部λ/４位相差フィルムは１３０ｎｍ乃至１５０ｎｍのΔｎｄ２及び前記横方向を基準にして３９°乃至５９°のスロー軸を有し、前記下部基板と前記下部λ／２位相差フィルムとの間に配置される。ここで、前記Δｎは屈折率異方性で、前記ｄ２は前記下部λ／４位相差フィルムの厚さである。
【００３１】
前記液晶表示装置は反射型、透過型または反射-透過型多重セルギャップ液晶表示装置を含む。
【発明の効果】
【００３２】
このような光学フィルムアセンブリと、これを有する液晶表示装置によると、光学フィルムアセンブリの光学条件が最適化されて、液晶表示装置の透過率、コントラスト比及び視野角が向上される。また、視野角の均一性が向上される。
【発明を実施するための最良の形態】
【００３３】
以下、図面を参照して本発明の望ましい一実施例をより詳細に説明する。以下の説明において、Δｎは屈折率異方性であり、ｄ１，ｄ２，ｄ３・・・は該当位相差フィルムの厚さであり、スロー軸は光の透過速度を遅延させる軸である。さらに、ＺＳＭ５３４２は屈折率異方性Δｎの単位である。
＜第１実施例＞
図１は本発明の一実施例による反射-透過型液晶表示装置を図式的に説明するための断面図である。
【００３４】
図１に示すように、反射-透過型液晶表示装置１０は順次に配置された下部偏光板１１、下部λ/２位相差フィルム１２、下部λ/４位相差フィルム１３、反射部１４、液晶層１５、カラーフィルター１６、上部λ/４位相差フィルム１７、上部λ/２位相差フィルム１８及び上部偏光板１９を含む。人工光は下部偏光板１１の下部面に入射される。前記した位相差フィルムは線偏光を楕円偏光または円偏光に変えるか、楕円偏光または円偏光を線偏光に変えるか、若しくは、線偏光の偏光方向を変えるのに利用される。特に、下部及び上部λ/２位相差フィルム１２、１８は線偏光の偏光方向を変えるに利用され、下部及び上部λ/４位相差フィルム１３、１７は線偏光を円偏光に変えるか、円偏光を線偏光に変える場合に利用される。
【００３５】
透過モードで動作する時、バックライトアセンブリ（図示せず）から提供される人工光を下部偏光板１１、下部λ/２位相差フィルム１２、下部λ/４位相差フィルム１３、液晶層１５、カラーフィルター１６、上部λ/４位相差フィルム１７、上部λ/２位相差フィルム１８及び上部偏光板１９を経由して透過させて画像を表示する。
【００３６】
一方、反射モードで動作する時、自然光は上部偏光板１９、上部λ/２位相差フィルム１８、上部λ/４位相差フィルム１７、カラーフィルター１６及び液晶層１５を通過した後反射部１４で反射される。前記反射された光は液晶層１５、カラーフィルター１６、上部λ/４位相差フィルム１７、上部λ/２位相差フィルム１８及び上部偏光板１９を経由して透過させて画像を表示する。
【００３７】
図２は図１の液晶表示装置に印加された電圧と輝度との関係を示すグラフである。
【００３８】
図２に示すように、液晶層１５がノーマリホワイトモードで動作する液晶分子からなると、低電圧が印加される場合にはホワイトを表示し高電圧が印加される場合にはブラックを表示する。透過モードの電圧と輝度との関係を示すカーブは反射モードの電圧と輝度との関係を示すカーブと類似する。
【００３９】
図３は本発明の一実施例による反射-透過型液晶表示装置を説明するための分解斜視図である。後述する角度の基準方向は液晶パネルの横方向であり、基準光が５５０ｎｍの光波長を有することができる。
【００４０】
図３に示すように、アレー基板１５Ｔとカラーフィルター基板１５Ｃとの間に形成された液晶層は、５８９ｎｍの光波長を基準にして０．０７８ＺＳＭ５３４２の屈折率異方性Δｎと、３．０μｍのセルギャップｄ１と、７２°のツイスト角度と、８°の視野角を有する。前記ＺＳＭ５３４２は屈折率異方性Δｎの単位である。上部λ/４位相差フィルム１７はカラーフィルター基板１５Ｃの上に配置され、５５０ｎｍの光波長を基準にして１４０ｎｍのΔｎｄ２を有し、液晶パネルの横方向を基準にして時計方向に７４°であるスロー軸を有する。ここで、ｄ２は、上部λ/４位相差フィルム１７の厚さである。前記スロー軸は光の透過速度を遅延させる軸として光の透過速度が増加するファースト軸に対応する。上部λ/２位相差フィルム１８は上部λ/４位相差フィルム１７上に配置され、５５０ｎｍの光波長基準で２６０ｎｍのΔｎｄ３を有し、液晶パネルの横方向を基準にして時計方向に１６６±１０°であるスロー軸を有する。ここで、ｄ３は、上部λ/２位相差フィルム１８の厚さである。上部偏光板１９は上部λ/２位相差フィルム１８上に配置され、液晶パネルの横方向を基準にして時計方向に１５０±１０°である吸収軸を有する。
【００４１】
一方、下部λ/４位相差フィルム１３はアレー基板１５Ｔの背面に配置され５５０ｎｍの光波長基準で１４５ｎｍのΔｎｄ４を有し、液晶パネルの横方向を基準にして時計方向に４６°であるスロー軸を有する。ここで、ｄ４は、下部λ／４位相差フィルム１３の厚さである。下部λ/２位相差フィルム１２は下部λ/４位相差フィルム１３の背面に配置され、５５０ｎｍの光波長を基準にして２７０ｎｍのΔｎｄ５を有し、液晶パネルの横方向を基準にして時計方向に１０５°であるスロー軸を有する。ここで、ｄ５は、下部λ/２位相差フィルム１２の厚さである。下部偏光板１１は下部λ/２位相差フィルム１２の背面に配置され、液晶パネルの横方向を基準にして時計方向に１２０°である吸収軸を有する。
【００４２】
図４は図３の液晶表示装置がブラックを表示する場合、視野角と輝度との関係を示すグラフである。図５は、前記図３の液晶表示装置がホワイトを表示するとき、視野角と輝度との関係を示すグラフである。図６は、前記図３の液晶表示装置の視野角とコントラスト比との関係を示すグラフである。
【００４３】
図４に示すように、液晶パネルを観察するとき、横方向を基準にして時計方向に９０°方向ではブラック特性が観察され、前記横方向を基準にして反時計方向に９０°方向では正常的なブラック特性が観察されない。特に、前記横方向を基準にして反時計に６０°ないし８０°近傍では１７．５［Ｃｄ/ｍ２］の輝度を有する光が表示されたホワイトが表示される。
【００４４】
図５に示すように、液晶パネルに垂直な方向に隣接する方向では正常的にホワイト特性が観察される。
【００４５】
図６に示すように、コントラスト比が高い部分は前記液晶パネルの横方向を基準にして時計方向に９０°にシフトされ、前記液晶パネルの上部のコントラスト比が下部のコントラスト比と相異する。
＜第２実施例＞
図７は本発明の他の実施例による液晶表示装置を説明するための断面図である。この液晶表示装置はトップＩＴＯ方式の単一セルギャップ反射-透過型液晶表示装置である。
【００４６】
図７に示すように、前記液晶表示装置はアレー基板１００と、カラーフィルター基板２００と、アレー基板１００とカラーフィルター基板２００との間に形成された液晶層３００と、カラーフィルター基板２００上に形成された上部光学フィルムアセンブリ４００と、アレー基板１００の下に形成された下部光学フィルムアセンブリ５００とを含む。
【００４７】
アレー基板１００は透明基板１０５上に形成されたゲート電極１１０、ゲート電極１１０及び透明基板１０５上に形成されたゲート絶縁膜１１２、半導体層１１４、オーミックコンタクト層１１６、ソース電極１２０及びドレーン電極１３０を含むスイッチング素子ＴＦＴと、スイッチング素子ＴＦＴを被覆し、前記スイッチング素子ＴＦＴを被覆し且つドレーン電極１３０の一部を露出させるバッシベーション層１４０、パッシベーション１４０上に形成されドレーン電極１３０の一部を露出させ且つ厚く形成された有機絶縁層１４４を含む。ここで、有機絶縁層１４４の表面には反射効率を高めるために複数のグルーブと突出部を形成することができる。
【００４８】
また、アレー基板１００は有機絶縁層１４４上に一部領域が開口されて第１コンタクトホール１４１を通じてドレーン電極１３０に連結される画素電極１５０と、前記スイッチング素子ＴＦＴ全体をカバーしながら形成された層間絶縁膜１５２と、層間絶縁膜１５２上に形成された反射板１６０とを含む。前記アレー基板１００は反射領域及び透過窓１４５を含む。反射板１６０は前記反射領域内に配置され、反射板１６０によって透過窓１４５が定義される。
【００４９】
画素電極１５０は、透明な導電性物質であるインジウムすず酸化物ＩＴＯやすず酸化物ＴＯまたはインジウム亜鉛酸化物ＩＺＯなどを含む。画素電極１５０の下部に前記スイッチング素子ＴＦＴから一定の距離離隔される別途のキャパシター配線を形成させてストレージキャパシター（Ｃｓｔ、図示せず）を形成することができる。
【００５０】
反射板１６０は層間絶縁膜１５２の上部領域のうち前記反射領域に対応する領域に形成される。反射板１６０と画素電極１５０は層間絶縁膜１５２によって離隔されて電気的に絶縁される。このとき、層間絶縁膜１５２の一部（反射領域）を除去して反射板１６０と画素電極１５０とを連結させることができる。
【００５１】
カラーフィルター基板２００は、透明基板２０５上にＲ、Ｇ、Ｂそれぞれの画素領域を定義するブラックマトリックス層（図示せず）と、前記ブラックマトリックス層によって定義される領域に形成された色画素層２１０と、前記ブラックマトリックス層と色画素層２１０を保護するために塗布された表面保護層（図示せず）とを含む。
【００５２】
一方、液晶層３００はアレー基板１００とカラーフィルター基板２００との間に形成される。液晶層３００はアレー基板１００の画素電極１５０に印加される電源とカラーフィルター基板２００の共通電極層（図示せず）に印加される電源に応答してカラーフィルター基板２００を経由する自然工または透過窓１４５を経由する人口光の透過を調節する。
【００５３】
また、液晶層３００に具備される液晶はホモジニアス（または水平）配向モードを含む。従って、液晶層３００内の液晶分子のツイスト角は０°である。
【００５４】
このとき、アレー基板１００に第１配向膜（図示せず）を配置して前記第１配向膜（図示せず）をアレー基板１００の横方向に平行にラッピング処理し、カラーフィルター基板２００に第２配向膜（図示せず）を配置して前記横方向の反対方向にラッピングすることができる。一方、アレー基板１００に第１配向膜（図示せず）を配置して前記第１配向膜（図示せず）をアレー基板１００の横方向の反対方向に平行にラッピング処理し、カラーフィルター基板２００に第２配向膜（図示せず）を配置して前記横方向にラッピングすることができる。
【００５５】
画素電極１５０はアレー基板１００に配置され、前記共通電極層（図示せず）はカラーフィルター基板２００に配置される。このとき、共通電極層がカラーフィルター基板２００に形成されないこともできる。即ち、前記液晶表示装置がＩＰＳ（Ｉｎ-Ｐｌａｎｅ  Ｓｗｉｔｃｈｉｎｇ）モードやＦＦＳ（Ｆｒｉｎｇｅ  Ｆｉｅｌｄ  Ｓｗｉｔｃｈｉｎｇ）モードのようにＣＥ（Ｃｏｐｌａｎａｒ  Ｅｌｅｃｔｒｏｄｅ）モードを採用することができる。
【００５６】
前記液晶表示装置は反射-透過型液晶表示装置である。このとき、前記液晶表示装置は、スイッチング素子と、前記スイッチング素子のドレーン電極と連結された画素電極と、前記画素電極上に形成されて前記自然光を反射する反射板を具備するアレー基板とを有する。
【００５７】
前記液晶表示装置はトップＩＴＯ方式である。このとき、前記液晶表示装置は、前記有機絶縁層下部に画素電極が形成されるボトムＩＴＯ方式の反射-透過型液晶表示装置であってもよい。
【００５８】
一方、上部光学フィルムアセンブリ４００は、カラーフィルター基板２００上に配置された上部λ/４位相差フィルム４１０、上部λ/４位相差フィルム４１０上に配置された上部λ/２位相差フィルム４２０及び上部λ/２位相差フィルム４２０上に配置された上部偏光板４３０を含む。下部光学フィルムアセンブリ５００は、アレー基板１００下に配置された下部λ/４位相差フィルム５１０、下部λ/４位相差フィルム５１０の下に配置された下部λ/２位相差フィルム５２０及び下部λ/２位相差フィルム５２０の下に配置された下部偏光板５３０を含む。
【００５９】
角度の基準値は、液晶パネルの横方向を０°にし、基準光が５５０ｎｍの光波長を有する。
＜第３実施例＞
図８は本発明の他の実施例による液晶表示装置を説明するための分解斜視図である。
【００６０】
図８に示すように、アレー基板１００とカラーフィルター基板２００との間に形成された液晶層は５８９ｎｍの光波長基準で０．０７８ＺＳＭ５３４２のΔｎと、３．０μｍのセルギャップｄ１と、７２°のツイスト角度と、１２°の視野角を有する。
【００６１】
上部λ/４位相差フィルム４１２はカラーフィルター基板２００上に配置され、５５０ｎｍの光波長を基準で１４０±１０ｎｍのΔｎｄ２を有し、液晶パネルの横方向を基準にして時計方向に４４±１０°であるスロー軸を有する。ここで、前記ｄ２は前記上部λ/４位相差フィルム４１２の厚さである。
【００６２】
上部λ/２位相差フィルム４２２は上部λ/４位相差フィルム４１２上に配置され、５５０ｎｍの光波長基準で２６０±１０ｎｍのΔｎｄ３を有し、液晶パネルの横方向を基準にして時計方向に１６６±１０°であるスロー軸を有する。ここで、前記ｄ３は前記上部λ/２位相差フィルム４２２の厚さである。
【００６３】
上部偏光板４３２は上部λ/２位相差フィルム４２２上に配置され、液晶パネルの横方向を基準にして時計方向に１５０±１０°である吸収軸を有する。
【００６４】
一方、下部λ/４位相差フィルム５１２はアレー基板の背面に配置され、５５０ｎｍの光波長を基準で１４５０±１０ｎｍのΔｎｄ４を有し、液晶パネルの横方向を基準にして時計方向に４６±１０°であるスロー軸を有する。ここで、ｄ４は前記下部λ/４位相差フィルム５１２の厚さである。
【００６５】
下部λ/２位相差フィルム５２２は下部λ/４位相差フィルムに背面に配置され、５５０ｎｍの光波長を基準にして２７０±１０ｎｍのΔｎｄ５を有し、液晶パネルの横方向を基準にして時計方向に１０５±１０°であるスロー軸を有する。ここで、ｄ５は前記下部λ/２位相差フィルム５２２の厚さである。
【００６６】
下部偏光板５３２は下部λ/２位相差フィルム５２２に背面に配置され、液晶パネルの横方向を基準にして時計方向に１２０°±１０°である吸収軸を有する。
【００６７】
他の実施例による場合、下部λ/４位相差フィルムは横方向を基準にして時計方向１３４±１０°のスロー軸を有する。下部λ/２位相差フィルムは液晶パネルの横方向を基準にして時計方向に７５±１０°のスロー軸を有する。下部偏光板は液晶パネルの横方向を基準にして時計方向に６０±１０°である吸収軸を有する。
【００６８】
本発明の実施例において、透過率が０．２３７３で、透過コントラスト比が９１１である。
【００６９】
前記した図３で説明した液晶表示装置に比べて、透過率は前記した図３の液晶表示装置に比べて大略２０％大きい。透過コントラスト比は前記した図３の液晶表示装置とほぼ類似することが確認できる。
【００７０】
反射率は８％で前記した図３の液晶表示装置と同一であり、反射コントラスト比は３０で前記した図３の液晶表示装置と同一であり、積分区反射率は５％で前記した図３の液晶表示装置と同一であり、積分球（Ｉｎｔｅｇｒａｔｉｎｇ  Ｓｐｈｅｒｅ）反射率は５％で前記した図３の液晶表示装置と同一であり、積分球反射コントラスト比は１０で前記した図３の液晶表示装置と同一である。
【００７１】
しかし、前記した図３の液晶表示装置の正面輝度は５５［Ｃｄ／ｍ２］で、前記本実施例の正面輝度は７０［Ｃｄ／ｍ２］であるので、大略２５％向上している。前記した図３の液晶表示装置の正面コントラスト比は８０で、前記本実施例の正面コントラスト比は１１０であるので、大略１２％向上している。前記した図３の液晶表示装置の上、下、左及び右側視野角はそれぞれ２１°、３６°、２２°及び３８°であり、前記本実施例の上、下、左、右及び右側視野角は２８°、２８°、５２°及び２２°であるので４方向全部に対する視野角が向上している。
＜第４実施例＞
図９は本発明の他の実施例による液晶表示装置を説明するための分解斜視図である。図９に示すように、アレー基板１００とカラーフィルター基板２００との間に形成された液晶層は、５８９ｎｍの光波長基準で０．０７８ＺＳＭ５３４２のΔｎと、３．０μｍのセルギャップｄ１と、６０°のツイスト角度と、１０°の視野角を有する。
【００７２】
上部λ/４位相差フィルム４１４はカラーフィルター基板２００上に配置され、５５０ｎｍの光波長基準で１４０±１０ｎｍのΔｎｄ２を有し、液晶パネルの横方向を基準にして時計方向に１１３±１０°であるスロー軸を有する。ここで、前記ｄ２は前記上部λ/４位相差フィルムの厚さである。
【００７３】
上部λ/２位相差フィルム４２４は上部λ/４位相差フィルム４１４上に配置され、５５０ｎｍの光波長基準で２６０±１０ｎｍのΔｎｄ３を有し、液晶パネルの横方向を基準にして時計方向に４８±１０°であるスロー軸を有する。ここで、前記ｄ３は前記上部λ/２位相差フィルムの厚さである。
【００７４】
上部偏光板４３２は上部λ/２位相差フィルム４２２上に配置され、液晶パネルの横方向を基準にして時計方向に１２４±１０°である吸収軸を有する。
【００７５】
一方、下部λ/４位相差フィルム５１４はアレー基板１００の背面に配置され、５５０ｎｍの光波長基準で１３０±１０ｎｍのΔｎｄ４を有し、液晶パネルの横方向を基準にして時計方向に４８±１０°であるスロー軸を有する。ここで、前記ｄ４は前記下部λ/４位相差フィルムの厚さである。
【００７６】
下部λ/２位相差フィルム５２４は下部λ/４位相差フィルムに背面に配置され、５５０ｎｍの光波長基準で２７０±１０ｎｍのΔｎｄ５を有し、液晶パネルの横方向を基準にして時計方向に１６２±１０°であるスロー軸を有する。ここで、ｄ５は前記下部λ/２位相差フィルムの厚さである。
【００７７】
下部偏光板５３４は下部λ/２位相差フィルム５２４に背面に配置され、液晶パネルの横方向を基準にして時計方向に１４６±１０°である吸収軸を有する。
【００７８】
他の実施例による場合、下部λ/４位相差フィルムは液晶パネルの横方向を基準にして時計方向に１３２±１０°のスロー軸を有する。下部λ/２位相差フィルムは液晶パネルの横方向を基準にして時計方向に１８±１０°のスロー軸を有する。下部偏光板は液晶パネルの横方向を基準にして時計方向に３４±１０°である吸収軸を有する。
【００７９】
前記した本実施例による液晶表示装置の透過率が０．２８３８で、透過コントラスト比が２２４７である。本実施例による液晶表示装置の透過率は前記した図３の液晶表示装置に比べて大略２５０％上昇したことを確認することができる。透過コントラスト比は前記した図３の液晶表示装置とほぼ類似することを確認できる。
【００８０】
本実施例による液晶表示装置の反射率は８％で、前記した図３の液晶表示装置と同一であり、反射コントラスト比は３０で、前記した図３の液晶表示装置と同一であり、積分球反射率は５％で、前記した図３の液晶表示装置と同一であり、積分球反射コントラスト比は１０で、前記した図３の液晶表示装置と同一である。
【００８１】
しかし、前記した図３の液晶表示装置の正面輝度は５５［Ｃｄ／ｍ２］であるのに対し、前記本実施例の正面輝度は８５［Ｃｄ／ｍ２］であり、大略５４％向上している。前記した図３の液晶表示装置の正面コントラスト比は８０であるのに対し、前記本実施例の正面コントラスト比は１５０であり、大略１８０％向上している。前記した図３の液晶表示装置の上、下、左及び右側視野角はそれぞれ２１°、３６°、２２°及び３８°であるのに対し、前記本実施例の上、下、左、右及び右側視野角は４４°、４２°、３６°及び４０°であり、４方向全部に対する視野角が向上している。
＜第５実施例＞
図１０は本発明の他の実施例による液晶表示装置を説明するための分解斜視図である。図１０に示すように、アレー基板１００とカラーフィルター基板２００との間に形成された液晶層は、５８９ｎｍの光波長基準で０．０７８ＺＳＭ５３４２のΔｎと、３．０セルギャップｄ１と、６０°のツイスト角度と、１０°の視野角を有する。ここで、Δｎは屈折率異方性である。
【００８２】
上部λ/４位相差フィルム４１６はカラーフィルター基板２００上に配置され、５５０ｎｍの光波長基準で１４０±１０ｎｍのΔｎｄ２を有し、液晶パネルの横方向を基準にして時計方向に１０４±１０°であるスロー軸を有する。ここで、前記ｄ２は前記上部λ/４位相差フィルムの厚さである。
【００８３】
上部λ/２位相差フィルム４２６は上部λ/４位相差フィルム４１４上に配置され、５５０ｎｍの光波長基準で２６０±１０ｎｍのΔｎｄ３を有し、液晶パネルの横方向を基準にして時計方向に３７±１０°であるスロー軸を有する。ここで、前記ｄ３は前記上部λ/２位相差フィルムの厚さである。
【００８４】
上部偏光板４３６は上部λ/２位相差フィルム４２６上に配置され、液晶パネルの横方向を基準にして時計方向に１１０±１０°である吸収軸を有する。
【００８５】
一方、下部λ/４位相差フィルム５１６はアレー基板１００の背面に配置され、５５０ｎｍの光波長基準で１３０±１０ｎｍのΔｎｄ４を有し、液晶パネルの横方向を基準にして時計方向に４９±１０°であるスロー軸を有する。ここで、前記ｄ４は前記下部λ/４位相差フィルムの厚さである。
【００８６】
下部λ/２位相差フィルム５２６は下部λ/４位相差フィルム５１６に背面に配置され、５５０ｎｍの光波長基準で２７０±１０ｎｍのΔｎｄ５を有し、液晶パネルの横方向を基準にして時計方向に１７１±１０°であるスロー軸を有する。ここで、ｄ５は前記下部λ/２位相差フィルムの厚さである。
【００８７】
下部偏光板５３６は下部λ/２位相差フィルム５２６に背面に配置され、液晶パネルの横方向を基準にして時計方向に１６０±１０°である吸収軸を有する。
【００８８】
他の実施例による場合、下部λ/４位相差フィルムは横方向を基準にして時計方向１３１±１０°のスロー軸を有する。下部λ/２位相差フィルムは液晶パネルの横方向を基準にして時計方向に９±１０°のスロー軸を有する。下部偏光板は液晶パネルの横方向を基準にして時計方向に２０±１０°である吸収軸を有する。
【００８９】
本実施例による液晶表示装置の透過率が０．２６５８で、透過コントラスト比が４１５８である。本実施例による液晶表示装置の透過率は前記した図３の液晶表示装置に比べて大略３５％上昇していることを確認できる。透過コントラスト比は大略４６０％上昇していることを確認できる。
【００９０】
本実施例による液晶表示装置の反射率は８％で、前記した図３の液晶表示装置と同一であり、反射コントラスト比は３０で、前記した図３の液晶表示装置と同一であり、積分球反射率は５％で、前記した図３の液晶表示装置と同一で、積分球反射コントラスト比は１０で、前記した図３の液晶表示装置と同一である。
【００９１】
しかし、前記した図３の液晶表示装置の正面輝度は５５［Ｃｄ／ｍ２］であるのに対し、前記本実施例の正面輝度は７７［Ｃｄ／ｍ２］であり、大略４０％向上している。前記した図３の液晶表示装置の正面コントラスト比は８０であるのに対し、前記本実施例の正面コントラスト比は１９０であり、大略２３０％向上している。前記した図３の液晶表示装置の上、下、左及び右側視野角はそれぞれ２１°、３６°、２２°及び３８°であるのに対し、前記本実施例の上、下、左、右及び右側視野角は４４°、４２°、３６°及び４０°であり、４方向全部に対する視野角が向上している。
＜第６実施例＞
図１１及び図１２は本発明の他の実施例による液晶表示装置がブラックを表示する場合、視野角と輝度との関係を示すシミュレーショングラフである。図１１の半径は視野角を示す。
【００９２】
図１１及び図１２に示すように、液晶パネルの横方向を基準にして反時計方向に９０°方向に配置され６０°乃至８０°の視野角に対応する領域及び前記液晶パネルの前記横方向を基準にして時計方向に９０°方向に配置され８０°近傍の視野角に対応する領域で輝度が上昇する。しかし、前記液晶パネルの残りの領域では輝度が減少してブラックが表示される。特に、液晶パネルの面に垂直する方向の輝度は０．５［Ｃｄ／ｍ２］で優秀な画質のブラックが表示される。
【００９３】
図１３及び図１４は本発明の他の実施例による液晶表示装置がホワイトを表示する場合、視野角と輝度との関係を示すグラフである。図１３の半径は視野角を示す。
【００９４】
図１３及び図１４に示すように、０°乃至３０°の視野角に対応する領域で輝度が上昇する。特に、液晶パネルの面に垂直する方向での輝度は１１［Ｃｄ／ｍ２］で優秀な画質のホワイトが表示される。
【００９５】
図１５及び図１６は本発明の他の実施例による液晶表示装置の視野角とコントラスト比との関係を示すグラフである。図１５の半径は視野角を示す。
【００９６】
図１５及び図１６に示すように、液晶パネルの表面に垂直な方向近傍において、コントラスト比が高い。通常、観察者の視点は液晶パネルの表面に垂直な方向近傍にあるので、前記液晶表示装置の画質が向上する。
【００９７】
本実施例によると、液晶表示装置が光学条件を有する場合、液晶表示装置の透過率及びコントラスト比が向上する。また、視野角及びコントラスト比が均一に分布して液晶表示装置の色再現性及び画質が向上される。
【００９８】
また、前記した本発明による液晶表示装置の透過率は前記図３の液晶表示装置に比べて４０〜５０％程度向上し、前記液晶表示パネルの表面に垂直な方向に隣接するコントラスト比は２００％程度向上される。
＜第７実施例＞
図１７は本発明の他の実施例による液晶表示装置を説明するための断面図である。
【００９９】
図１７に示すように、多重セルギャップ反射-透過型液晶表示装置はアレー基板１００、カラーフィルター基板２００、アレー基板とカラーフィルター基板との間に形成された液晶層３００と、カラーフィルター基板２００上に形成された上部光学フィルムアセンブリ４００、アレー基板の下に形成された下部光学フィルムアセンブリ５００を含む。前記図７と比較して、同一の構成要素に対しては同一の図面番号を付与し、その説明は省略する。
【０１００】
アレー基板１００は第１透明基板１０５と、スイッチング素子ＴＦＴと、パッシベーション層１４０と、有機絶縁層２１４４と、有機絶縁層２１４４上に一部領域が開口されて第１コンタクトホール２１４１を通じてドレーン電極１３０に連結される画素電極２１５０と、前記スイッチング素子ＴＦＴ全体をカバーし形成された層間絶縁膜２１５２と、層間絶縁膜２１５２上に形成された反射板２１６０を含み、反射板２１６０が形成された領域を反射領域として定義し、反射板２１６０が未形成された領域を透過窓２１４５として定義する。
【０１０１】
カラーフィルター基板２００は透明基板２２０５上にＲ、Ｇ、Ｂそれぞれの画素領域を定義するブラックマトリックス層（図示せず）と、前記ブラックマトリックス層によって定義される領域に形成された色画素層２２１０と、前記ブラックマトリックス層と色画素層を保護するために塗布された表面保護層（図示せず）とを含む。前記反射領域に対応する色画素層２２１０の高さは前記透過窓２１４５に対応する色画素層２２１０の高さより低い。
【０１０２】
一方、液晶層３００は、２１０±４０°の視野角と、０±１０°のツイスト角度を有してアレー基板１００とカラーフィルター基板２００との間に形成されている。液晶層３００は、アレー基板１００の画素電極２１５０に印加される電源とカラーフィルター基板２００の共通電極層（図示せず）に印加される電源とに応答して、カラーフィルター基板２００を経由する自然光または透過窓２１４５を経由する人口光の透過率を調節する。
【０１０３】
このとき、液晶層３００は反射領域のうちコンタクトホール２１４１が形成された領域に対応する液晶層と、コンタクトホール２１４１が形成されていない領域に対応する液晶層と、透過領域に対応する液晶層と、は互いに異なる高さを有する。ここで、コンタクトホール２１４１が形成された領域に対応する液晶層の第１厚さｄ１は、コンタクトホール２１４１が形成されていない領域に対応する液晶層の第２厚さｄ２より厚い（ｄ１＞ｄ２）。透過窓１７０に対応する液晶層の第３厚さｄ３は、コンタクトホール２１４１が形成された領域に対応する液晶層の第１厚さｄ１より厚い（ｄ３＞ｄ１）。
【０１０４】
特に、液晶層３００を構成する液晶分子の異方性屈折率をΔｎとするとき、前記反射領域にうちコンタクトホール２１４１が形成された領域に対応する液晶層３００の光学特性はΔｎｄ１で、コンタクトホール２１４１が未形成された領域に対応する液晶層３００の光学特性はΔｎｄ２で、前記透過領域に対応する液晶層３００の光学特性はΔｎｄ３である。
【０１０５】
前記反射領域に対応する液晶層の第２厚さｄ２は１．７μｍより薄く、前記透過領域に対応する液晶層の第３厚さｄ３は３．３μｍより薄いと良い。前記反射領域と透過領域に対する液晶層の厚さは液晶層３００を形成する液晶分子や液晶層３００の上下両側に具備される光学フィルムアセンブリの条件によって変化することができる。
【０１０６】
また、液晶層３００に具備される液晶はホモジニアス配向モードを含み、液晶層３００内の液晶分子のツイスト角は０である。
【０１０７】
このとき、アレー基板１００に第１配向膜（図示せず）を配置して前記第１配向膜（図示せず）をアレー基板１００の横方向に平行にラッピング処理し、カラーフィルター基板２００に第２配向膜（図示せず）を配置して前記横方向に反対方向のラッピングすることができる。一方、アレー基板１００に第１配向膜（図示せず）を配置して前記第１配向膜（図示せず）をアレー基板１００の前記横方向の反対の方向に平行にラッピング処理し、カラーフィルター基板２００に第２配向膜（図示せず）を配置して前記横方向にラッピングすることができる。
【０１０８】
画素電極２１５０はアレー基板１００に配置され、前記共通電極層（図示せず）はカラーフィルター基板２００に配置される。このとき、共通電極層がカラーフィルター基板２００に形成されないこともあり得る。即ち、前記液晶表示装置がＩＰＳモードやＦＦＳモードのようにＣＥモードを採用することができる。
【０１０９】
上部光学フィルムアセンブリ４００はカラーフィルター基板２００上に配置された上部λ/４位相差フィルム４１０、上部λ/４位相差フィルム４１０上に配置された上部λ/２位相差フィルム４２０及び上部λ/２位相差フィルム４２０上に配置された上部偏光板４３０を含む。下部光学フィルムアセンブリ５００はアレー基板１００の下に配置された下部λ/４位相差フィルム５１０、下部λ/４位相差フィルム５１０の下に配置された下部λ/２位相差フィルム５２０及び下部λ/２位相差フィルム５２０の下に配置された下部偏光板５３０を含む。
【０１１０】
図１８は前記した図１７の上部光学フィルムアセンブリを説明するための分解斜視図である。角度の基準値は液晶パネルの横方向を０°にし、基準光が５５０ｎｍの光波長を有する。また、下記するΔｎは屈折率異方性を定義し、ｄは該当位相差フィルムの厚さを定義し、スロー軸は光の透過速度を遅延させる軸を定義する。
【０１１１】
図１８に示すように、上部λ/４位相差フィルム４１０はカラーフィルター基板２００上に形成され、１４０±１０ｎｍのΔｎｄ２を有し、液晶パネルの横方向を基準にして時計方向に１４６±１０°であるスロー軸を有する。
【０１１２】
上部λ/２位相差フィルム４２０は上部λ/４位相差フィルム４１０上に配置され、２６０±１０ｎｍのΔｎｄ３を有し、液晶パネルの横方向を基準にして時計方向に９１±１０°であるスロー軸を有する。
【０１１３】
上部偏光板４３０は上部λ/２位相差フィルム４２０上に形成され、液晶パネルの横方向を基準にして時計方向に７７±１０°である吸収軸を有する。
【０１１４】
図１９は前記した図１７の下部光学フィルムアセンブリを説明するための分解斜視図である。角度の基準値は液晶パネルの横方向を０°にし、基準光が５５０ｎｍの光波長を有する。また、下記するΔｎは屈折率異方性を定義し、ｄは該当位相差フィルムの厚さを定義し、スロー軸は光の透過速度を遅延させる軸を定義する。
【０１１５】
図１９に示すように、下部λ/４位相差フィルム５１０はアレー基板１００の背面に配置され、１３０±１０ｎｍのΔｎｄ４を有し、液晶パネルの横方向を基準にして時計方向に９±１０°であるスロー軸を有する。ここで、ｄ４は、下部λ/４位相差フィルム５１０の厚さである。
【０１１６】
下部λ/２位相差フィルム５２０は下部λ/４位相差フィルム５１０に背面に配置され、２７０±１０ｎｍのΔｎｄ５を有し、液晶パネルの横方向を基準にして時計方向に１２３±１０°であるスロー軸を有する。ここで、ｄ５は、下部λ/２位相差フィルム５２０の厚さである。
【０１１７】
下部偏光板５３０は下部λ/２位相差フィルム５２０の背面に配置され、液晶パネルの横方向を基準にして時計方向に１８±１０°である吸収軸を有する。
【０１１８】
他の実施例による場合、下部λ/４位相差フィルムは液晶パネルの横方向を基準にして時計方向１７±１０°のスロー軸を有する。下部λ/２位相差フィルムは横方向を基準にして時計方向に５７±１０°のスロー軸を有する。下部偏光板は液晶パネルの横方向を基準にして時計方向に１６２±１０°である吸収軸を有する。
【０１１９】
このとき、前記反射領域に対応する液晶層の厚さが前記透過窓に対応する液晶層の厚さと同一であることができる。
【０１２０】
また、前記液晶表示装置がスイッチング素子と、前記スイッチング素子のドレーン電極と連結された画素電極と、前記画素電極上に形成されて前記自然光を反射する反射板を具備するアレー基板とを含む反射型液晶表示装置であることもできる。
【０１２１】
また、前記液晶表示装置が前記有機絶縁層の下の配置された画素電極を具備するボトムＩＴＯ方式の反射-透過型液晶表示装置でもあることもできる。
<反射モード動作時>
図２０は前記した図１７の液晶表示装置の反射モードを説明するための断面図であり、図２１は前記した図１７の液晶表示装置の透過モードを説明するための断面図である。前記液晶表示装置はノーマリホワイトモードの液晶を具備する。前記ノーマリホワイトモードの液晶を有する液晶表示装置に電圧が印加されない場合、前記液晶表示装置はホワイトを表示する。
【０１２２】
図２０に示すように、反射モードで液晶に加えられる電界がないとき、前記液晶層内の液晶は水平配列状態を保持する。外部入射光が上部偏光板４２０を通過した後線偏光になる。前記線偏光は上部λ/４位相板４１０を通過して左円偏光になる。勿論、右円偏光であることもできる。
【０１２３】
前記円偏光が液晶層３００を通過して位相がλ/４分だけ遅延されて線偏光になる。前記反射モードに対応する液晶層３００の光学特性はΔｎｄ２である。前記線偏光は反射板ＡＩＮｄ１６０に反射される。前記反射された光は液晶層３００を通過して位相がλ/４分だけ遅延されて左円偏光になる。
【０１２４】
前記左円偏光が上部λ/４位相差フィルム４１０を通過して線偏光に変換される。前記線偏光は上部偏光板４２０を経由してホワイトを表示する。
【０１２５】
一方、反射モードで液晶層３００に加えられる電圧があるとき、前記液晶層３００内の液晶は垂直配列されて左円偏光に保持される。外部入射光が上部偏光板４２０を通過した後線偏光になる。前記線偏光は上部λ/４位相差フィルム４１０を通過して左円偏光になる。
【０１２６】
前記左円偏光が液晶層３００を通過して左円偏光になる。液晶層３００を通過した左円偏光は反射板１６０に反射されて右円偏光になる。前記右円偏光は液晶層３００を通過して右円偏光が保持される。前記液晶層３００を通過した右円偏光は上部λ/４位相板４１０を通過して線偏光になる。前記線偏光は上部偏光板４２０により遮光されてブラックを表示する。
<透過モード動作時>
図２１に示すように、透過モードで液晶層３００に加えられる電圧がないとき、液晶層３００は水平配列状態を保持する。バックライトアセンブリ（図示せず）から提供された光は下部偏光板５２０を通過しながら線偏光になる。前記線偏光は下部λ/４位相板５１０を通過して右円偏光になる。前記右円偏光は透明電極１５０を通過して保持される。前記透過モードで対応する液晶層３００の光学特性であるΔｎｄ３は前記反射モードに対応する液晶層３００の光学特性であるΔｎｄ２の２倍である。
【０１２７】
水平配列された液晶層３００を通過した右円偏光は位相がλ/２分だけ遅延されて左円偏光になる。前記左円偏光は上部λ/４位相板４１０を通過して線偏光になる。前記線偏光は上部偏光板４２０を通過してホワイトを表示する。
【０１２８】
透過モードで液晶層３００に加えられる電圧があるとき、液晶層３００内の液晶は垂直配列される。バックライトアセンブリから提供された光は下部偏光板５２０を通過しながら線偏光になる。前記線偏光は下部λ/４位相板５１０を通過して右円偏光になる。前記右円偏光は透明電極１５０を通過して保持される。
【０１２９】
前記左円偏光は液晶層３００を通過して右円偏光になる。
【０１３０】
前記左円偏光が上部λ/４位相板４１０を通過して線偏光になる。前記線偏光４２０により遮光されてブラックを表示する。
【０１３１】
図２２及び図２３は本発明の他の実施例による液晶表示装置がブラックを表示する場合視野角と輝度との関係を示すシミュレーショングラフである。図２２の半径は視野角を示す。
【０１３２】
図２２及び図２３に示すように、液晶表示パネルの横方向を基準にして反時計方向に９０°乃至１２０°方向に配置され、６０°乃至８０°の視野角に対応する領域、前記横方向に配置され４０°乃至８０°の視野角に対応する領域及び前記横方向を基準にして９０°乃至１２０°方向に配置され８０°の視野角に対応する領域に隣接する領域で輝度が上昇する。しかし、前記液晶パネルの残りの領域では輝度が減少してブラックが表示される。特に、液晶パネルの面光源装置に垂直な方向の輝度は０．５［Ｃｄ／ｍ２］で優秀な画質のブラックが表示される。
【０１３３】
図２４及び図２５は本発明の他の実施例による液晶表示装置がホワイトを表示する場合、視野角と輝度との関係を示すグラフである。図２４の半径は視野角を示す。
【０１３４】
図２４及び図２５に示すように、０°乃至３０°の視野角に対応する領域で輝度が上昇する。特に、液晶パネルの面に垂直な方向での輝度は１１［Ｃｄ／ｍ２］で優秀な画質のホワイトが表示される。
【０１３５】
図２６及び図２７は本発明の他の実施例による液晶表示装置のコントラスト比と視野角との関係を示すグラフである。図２６の半径は視野角を示す。
【０１３６】
図２６及び図２７に示されたように、液晶パネルの表面に垂直な方向に隣接する方向でコントラスト比が集中される、通常、観察者の視点が液晶パネルの表面に垂直な方向に隣接するので前記液晶表示装置の画質が向上される。
【０１３７】
以下、前記した図８に示された光学フィルムアセンブリを採用する液晶表示装置と、前記した図１８及び図１９に示された光学フィルムアセンブリを採用する液晶表示装置を互いに比較する。
【０１３８】
まず、前記した図８による光学フィルムアセンブリは１４０ｎｍのΔｎｄ２と液晶パネルの横方向を基準にして時計方向に４４°のスロー軸を有する上部λ/４位相差フィルムと、２６０ｎｍのΔｎｄ３と液晶表示パネルの横方向を基準にして時計方向に１６６°のスロー軸を有する上部λ/２位相差フィルムと、液晶パネルの横方向を基準にして時計方向に１５０°の吸収軸を有する上部偏光板と、１４５ｎｍのΔｎｄ４と液晶パネルの横方向を基準にして時計方向に４６°スロー軸を有する下部λ/４位相差フィルムと、２７０ｎｍのΔｎｄ５と液晶パネルの横方向を基準にして時計方向に１０５°のスロー軸を有する下部λ/２位相差フィルムと、液晶パネルの横方向を基準にして時計方向に１２０°に吸収軸を有する下部偏光板とを有する。
【０１３９】
一方、前記した図１８及び図１９による光学フィルムアセンブリは、１４０ｎｍにΔｎｄ４と液晶パネルの横方向を基準にして時計方向に１４６°のスロー軸を有する上部λ/４位相差フィルムと、２６０ｎｍのΔｎｄ５と液晶表示パネルの横方向を基準にして時計方向に９１°のスロー軸を有する上部λ/２位相差フィルムと、液晶パネルの横方向を基準にして時計方向に７７°の吸収軸を有する上部偏光板と、１３０ｎｍのΔｎｄ６と液晶パネルの横方向を基準にして時計方向に９°スロー軸を有する下部λ/４位相差フィルムと、２７０ｎｍのΔｎｄ７と液晶パネルの横方向を基準にして時計方向に１２３°のスロー軸を有する下部λ/２位相差フィルムと、液晶パネルの横方向を基準にして時計方向に１８°の吸収軸を有する下部偏光板とを有する。
【０１４０】
前記図８の液晶表示装置の反射率は８％で前記した図１８及び図１９の液晶表示装置の反射率と同一であり、前記した図８の液晶表示装置の反射コントラスト比は３０で、前記した図１８及び図１９の液晶表示装置の反射コントラスト比と同一であり、前記した図８の液晶表示装置の積分球反射率が５％で、前記した図１８及び図１９の液晶表示装置の積分球反射率と同一であり、前記した図８の液晶表示装置の積分球反射コントラスト比は１０で、前記した図１８及び図１９の液晶表示装置の積分球反射コントラスト比と同一である。
【０１４１】
しかし、前記した図８の液晶表示装置の正面輝度は７０［Ｃｄ／ｍ２］であるのに対し、前記した図１８及び図１９の液晶表示装置の正面輝度は１８０［Ｃｄ／ｍ２］であり、前記した図１８及び図１９の液晶表示装置の正面輝度は前記した図１８及び実施例１９の液晶表示装置の正面輝度に比べて大略２６０％向上している。前記した図８の液晶表示装置の正面コントラスト比は１１０であるのに対し、前記した図１８及び図１９の液晶表示装置の正面コントラスト比は２５０°であり、前記した図１８及び図１９の液晶表示装置の正面輝度は前記した図１８及び図１９の液晶表示装置の正面輝度に比べて大略２３０％向上している。前記した図８の液晶表示装置の上、下、左、及び右側視野角はそれぞれ２８°、２８°、５２°及び２２°であるのに対し、前記した図１８及び図１９の液晶表示装置の上、下、左、及び右側視野角はそれぞれ５０°、５０°、５０°及び４０°であり、前記した図１８及び図１９の液晶表示装置の視野角が向上するとともに均一になる。
【０１４２】
以上、説明したように、本発明によるとカラーフィルター基板上に配置される上部光学アセンブリ及び/またはアレー基板の下に配置される下部光学アセンブリの光学条件を最適化して、液晶表示装置の透過率やコントラスト比、視野角を向上させることができる。
【０１４３】
このとき、前記液晶表示装置は反射型液晶表示装置、透過型液晶表示装置または反射-透過型液晶表示装置を含む。前記反射-透過型液晶表示装置の反射領域に対応する液晶層の厚さは前記反射-透過型液晶表示装置の透過窓に対応する液晶層の厚さとは異なる。このとき、前記反射-透過型液晶表示装置の反射領域に対応する液晶層の厚さは前記反射-透過型液晶表示装置の透過窓に対応する液晶層の厚さと同一であることもできる。
【０１４４】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１４５】
【図１】本発明の一実施例による反射-透過型液晶表示装置を図式的に説明するための断面図である。
【図２】図１の液晶表示装置に印加された電圧と輝度との関係を示すグラフである。
【図３】本発明の一実施例による反射-透過型液晶表示装置を示すための分解斜視図である。
【図４】図３の液晶表示装置がブラックを表示する場合、視野角と輝度との関係を示すグラフである。
【図５】図３の液晶表示装置がホワイトを表示する場合、視野角と輝度との関係を示すグラフである。
【図６】図３の液晶表示装置の視野角とコントラスト比との関係を示すグラフである。
【図７】本発明の他の実施例による液晶表示装置を説明するための断面図である。
【図８】本発明の他の実施例による液晶表示装置を説明するための分解斜視図である。
【図９】本発明の他の実施例による液晶表示装置を説明するための分解斜視図である。
【図１０】本発明の他の実施例による液晶表示装置を説明するための分解斜視図である。
【図１１】本発明の他の実施例による液晶表示装置がブラック表示する場合視野角と輝度との関係を示すグラフである。
【図１２】本発明の他の実施例による液晶表示装置がブラック表示する場合視野角と輝度との関係を示すグラフである。
【図１３】本発明の他の実施例による液晶表示装置がホワイトを表示する場合、視野角と輝度との関係を示すグラフである。
【図１４】本発明の他の実施例による液晶表示装置がホワイトを表示する場合、視野角と輝度との関係を示すグラフである。
【図１５】本発明の他の実施例による液晶表示装置の視野角とコントラスト比との関係を示すグラフである。
【図１６】本発明の他の実施例による液晶表示装置の視野角とコントラスト比との関係を示すグラフである。
【図１７】本発明の他の実施例による液晶表示装置を説明するための断面図である。
【図１８】図１７の上部光学フィルムアセンブリを説明するための分解斜視図である。
【図１９】図１７の下部光学フィルムアセンブリを説明するための分解斜視図である。
【図２０】図１７の液晶表示装置の反射モードを説明するための断面図である。
【図２１】図１７の液晶表示装置の透過モードを説明するための断面図である。
【図２２】本発明の他の実施例による液晶表示装置がブラックを表示する場合、視野角と輝度との関係を示すグラフである。
【図２３】本発明の他の実施例による液晶表示装置がブラックを表示する場合、視野角と輝度との関係を示すグラフである。
【図２４】本発明の他の実施例による液晶表示装置がホワイトを表示する場合、視野角と輝度との関係を示すグラフである。
【図２５】本発明の他の実施例による液晶表示装置がホワイトを表示する場合、視野角と輝度との関係を示すグラフである。
【図２６】本発明の他の実施例による液晶表示装置のコントラスト比と視野角との関係を示すグラフである。
【図２７】本発明の他の実施例による液晶表示装置のコントラスト比と視野角との関係を示すグラフである。
【符号の説明】
【０１４６】
１０      反射-透過型液晶表示装置
１１、５３０      下部偏光板
１２、５２０      下部λ/２位相差フィルム
１３、５１０      下部λ/４位相差フィルム
１４      反射部
１５      液晶層
１６      カラーフィルター
１７、４１０      上部λ/４位相差フィルム
１８、４２０      上部λ/２位相差フィルム
１９、４３０      上部偏光板
１００      アレー基板
１０５      透明基板
１１０      ゲート電極
１１２      ゲート絶縁膜
１１４      半導体層層
１１６      オーミックコンタクト層
１２０      ソース電極
１３０      ドレーン電極
１４０      パッシベーション層
１４４      有機絶縁層
２００      カラーフィルター基板
３００      液晶層
４００      上部光学フィルムアセンブリ
５００      下部光学フィルムアセンブリ
２１４４      有機絶縁層
２１４１      第１コンタクトホール
２１５０      画素電極
２１５２      層間絶縁膜
２１６０      反射板
２１４５      透過窓
【図１】
2005055902.tif 000003
【図２】
2005055902.tif 000004
【図３】
2005055902.tif 000005
【図４】
2005055902.tif 000006
【図５】
2005055902.tif 000007
【図６】
2005055902.tif 000008
【図７】
2005055902.tif 000009
【図８】
2005055902.tif 000010
【図９】
2005055902.tif 000011
【図１０】
2005055902.tif 000012
【図１１】
2005055902.tif 000013
【図１２】
2005055902.tif 000014
【図１３】
2005055902.tif 000015
【図１４】
2005055902.tif 000016
【図１５】
2005055902.tif 000017
【図１６】
2005055902.tif 000018
【図１７】
2005055902.tif 000019
【図１８】
2005055902.tif 000020
【図１９】
2005055902.tif 000021
【図２０】
2005055902.tif 000022
【図２１】
2005055902.tif 000023
【図２２】
2005055902.tif 000024
【図２３】
2005055902.tif 000025
【図２４】
2005055902.tif 000026
【図２５】
2005055902.tif 000027
【図２６】
2005055902.tif 000028
【図２７】
2005055902.tif 000029